(57)【要約】無線送受信ユニット（ＷＴＲＵ）は、ＰＤＣＣＨ候補を決定する。スロットに対して、ＷＴＲＵは、スロット内のＷＴＲＵに関連付けられたいくつかの指定された探索空間、探索空間のタイプ、探索空間に関連付けられた優先度、探索空間に関連付けられたいくつかの必要なＣＣＥチャネル推定、スロット内の最大数のＰＤＣＣＨ候補、およびスロットに関連付けられたいくつかの制御リソースセット（ＣＯＲＥＳＥＴ）に基づいて、少なくとも１つの探索空間に関連付けられたいくつかの有効なＰＤＣＣＨ候補を決定する。ＷＴＲＵは、ＷＴＲＵに関連付けられたＰＤＣＣＨを回復するために、少なくとも１つの探索空間内のＣＣＥを復号することを試みることができる。ＷＴＲＵは、ＰＤＣＣＨ候補の数が最大値を超えるとき、探索空間からＰＤＣＣＨ候補を削除することができる。
2021503221.tif 000002
【特許請求の範囲】
【請求項１】
無線送受信ユニット（ＷＴＲＵ）で用いる方法であって、
スロットに対して、前記スロット内の前記ＷＴＲＵに関連付けられたいくつかの指定された探索空間、前記探索空間のタイプ、前記探索空間に関連付けられた優先度、前記探索空間に関連付けられたいくつかの必要な制御チャネル要素（ＣＣＥ）チャネル推定、スロット内の最大数のＰＤＣＣＨ候補、および前記スロットに関連付けられたいくつかの制御リソースセット（ＣＯＲＥＳＥＴ）のうちの少なくとも１つに基づいて、少なくとも１つの探索空間に関連付けられたいくつかの有効な物理ダウンリンク制御チャネル（ＰＤＣＣＨ）候補を決定することと、
前記ＷＴＲＵに関連付けられたＰＤＣＣＨを回復するために、少なくとも１つの探索空間内のＣＣＥを復号することを試みることと
を備える方法。
【請求項２】
前記決定された有効なＰＤＣＣＨ候補の数が最大値を超えるという条件で、少なくとも１つの探索空間に関連付けられた少なくとも１つの決定されたＰＤＣＣＨ候補を削除することをさらに備える、請求項１の方法。
【請求項３】
ＣＣＥチャネル推定の数が最大値を超えるという条件で、少なくとも１つの探索空間に関連付けられた少なくとも１つの決定されたＰＤＣＣＨ候補を削除することをさらに備える、請求項１の方法。
【請求項４】
前記少なくとも１つの決定されたＰＤＣＣＨ候補を削除することは、少なくとも１つの規則に基づく、請求項２の方法。
【請求項５】
前記少なくとも１つの決定されたＰＤＣＣＨ候補を削除することは、前記探索空間に関連付けられた優先度の関数である、請求項２の方法。
【請求項６】
前記少なくとも１つの決定されたＰＤＣＣＨ候補を削除することは、前記探索空間のタイプの関数である、請求項２の方法。
【請求項７】
前記少なくとも１つの決定されたＰＤＣＣＨ候補を削除することは、前記スロット内の前記ＷＴＲＵによって監視された探索空間の総数の関数である、請求項２の方法。
【請求項８】
前記少なくとも１つの決定されたＰＤＣＣＨ候補を削除することは、前記スロットに関連付けられた複数の探索空間のそれぞれに対して繰り返し実行される、請求項２の方法。
【請求項９】
スロット内のＰＤＣＣＨ候補の数の最大の構成された値の表示を含むメッセージを基地局から受信することをさらに備える、請求項２の方法。
【請求項１０】
無線送受信ユニット（ＷＴＲＵ）であって、
スロットに対して、前記スロット内の前記ＷＴＲＵに関連付けられたいくつかの指定された探索空間、前記探索空間のタイプ、前記探索空間に関連付けられた優先度、前記探索空間に関連付けられたいくつかの必要な制御チャネル要素（ＣＣＥ）チャネル推定、スロット内の最大数のＰＤＣＣＨ候補、および前記スロットに関連付けられたいくつかの制御リソースセット（ＣＯＲＥＳＥＴ）のうちの少なくとも１つに基づいて、少なくとも１つの探索空間に関連付けられたいくつかの有効な物理ダウンリンク制御チャネル（ＰＤＣＣＨ）候補を決定するように構成されたプロセッサと、
前記スロット内の無線信号を受信するように構成された受信機と
を備え、
前記プロセッサは、前記ＷＴＲＵに関連付けられたＰＤＣＣＨを回復するために、少なくとも１つの探索空間内の前記信号において受信されたＣＣＥを復号するように構成される、ＷＴＲＵ。
【請求項１１】
前記プロセッサは、前記決定された有効なＰＤＣＣＨ候補の数が最大値を超えるという条件で、少なくとも１つの探索空間に関連付けられた少なくとも１つの決定されたＰＤＣＣＨ候補を削除するようにさらに構成される、請求項１０のＷＴＲＵ。
【請求項１２】
前記プロセッサは、ＣＣＥチャネル推定の数が最大値を超えるという条件で、少なくとも１つの探索空間に関連付けられた少なくとも１つの決定されたＰＤＣＣＨ候補を削除するようにさらに構成される、請求項１０のＷＴＲＵ。
【請求項１３】
前記プロセッサは、少なくとも１つの規則に基づいて、少なくとも１つの決定されたＰＤＣＣＨ候補を削除するように構成される、請求項１１のＷＴＲＵ。
【請求項１４】
前記プロセッサは、前記探索空間に関連付けられた優先度の関数として、少なくとも１つの決定されたＰＤＣＣＨ候補を削除するように構成される、請求項１１のＷＴＲＵ。
【請求項１５】
前記プロセッサは、前記探索空間のタイプの関数として、少なくとも１つの決定されたＰＤＣＣＨ候補を削除するように構成される、請求項１１のＷＴＲＵ。
【請求項１６】
前記プロセッサは、前記スロット内の前記ＷＴＲＵによって監視された探索空間の総数の関数として、少なくとも１つの決定されたＰＤＣＣＨ候補を削除するように構成される、請求項１１のＷＴＲＵ。
【請求項１７】
前記プロセッサは、前記スロットに関連付けられた複数の探索空間のそれぞれに対して、少なくとも１つの決定されたＰＤＣＣＨ候補を繰り返し削除するように構成される、請求項１１のＷＴＲＵ。
【請求項１８】
前記受信機は、スロット内のＰＤＣＣＨ候補の数の最大の構成された値の表示を含むメッセージを基地局から受信するようにさらに構成される、請求項１１のＷＴＲＵ。
【発明の詳細な説明】
【技術分野】
【０００１】
関連出願の相互参照
本出願は、全体が記載されたように参照により組み込まれている、2017年11月14日に出願した米国特許出願第62/585,992号明細書および2018年1月10日に出願した米国特許出願第62/615,787号明細書の利益を主張する。
【背景技術】
【０００２】
無線アクセスネットワーク（ＲＡＮ）は、コアネットワーク（ＣＮ）への接続を有する無線送受信ユニット（ＷＴＲＵ）をもたらすモバイル電気通信システムの一部である。第５世代（５Ｇ）または次世代（ＮＧ）無線システムでは、ＲＡＮは新無線（ＮＲ）または次世代ＲＡＮと呼ばれ得る。ＮＲは大きな柔軟性をサポートするように設計される。このような柔軟性は、異なる能力を有するＷＴＲＵが、異なるタイプのトラフィックによって同時にサービスされ得ることを確実にする。ＮＲに対する異なる能力は多様であり、高度モバイルブロードバンド（extreme Mobile Broadband）（ｅＭＢＢ）、超高信頼低遅延通信（ＵＲＬＬＣ）、および大規模マシンタイプ通信（ｍＭＴＣ）に分類され得る。加えて、ＮＲは、センチメートル（ｃｍ）波およびミリメートル（ｍｍ）波周波数など、ずっと高い周波数帯域における送信をサポートする必要がある。これらの能力および送信方法の全てをサポートするために、ＷＴＲＵは、多数の物理ダウンリンク制御チャネル（ＰＤＣＣＨ）候補を監視し、いつそれがデータ送信を受信するようにスケジュールされるかを決定する必要があり得る。従って、ＷＴＲＵは、全ての可能なＰＤＣＣＨ候補をチェックすることが必要になり、これはブラインド検出の複雑さを必然的に増加させ得る。従って、任意の所与の時点において、どのＰＤＣＣＨ候補が監視される必要があるかを決定することによって、ブラインド検出の複雑さを制限することが望ましくなる。
【発明の概要】
【０００３】
無線送受信ユニット（ＷＴＲＵ）は、ＰＤＣＣＨ候補を決定する。スロットに対して、ＷＴＲＵは、スロット内のＷＴＲＵに関連付けられたいくつかの指定された探索空間、探索空間のタイプ、探索空間に関連付けられた優先度、探索空間に関連付けられたいくつかの必要なＣＣＥチャネル推定、スロット内の最大数のＰＤＣＣＨ候補、およびスロットに関連付けられたいくつかの制御リソースセット（ＣＯＲＥＳＥＴ）に基づいて、少なくとも１つの探索空間に関連付けられたいくつかの有効なＰＤＣＣＨ候補を決定する。ＷＴＲＵは次いで、ＷＴＲＵに関連付けられたＰＤＣＣＨを回復（recover）するために、少なくとも１つの探索空間内のＣＣＥを復号することを試みることができる。ＷＴＲＵは、ＰＤＣＣＨ候補の数が最大値を超えるとき、探索空間からＰＤＣＣＨ候補を削除することができる。
【図面の簡単な説明】
【０００４】
より詳細な理解は、添付図面と共に例として示される以下の説明から得られ、図における類似の参照番号は類似の要素を示す。
【図１Ａ】１つまたは複数の開示される実施形態が実施され得る、例示の通信システムを示すシステム図である。
【図１Ｂ】実施形態による、図１Ａに示される通信システム内で用いられ得る例示の無線送受信ユニット（ＷＴＲＵ）を示すシステム図である。
【図１Ｃ】実施形態による、図１Ａに示される通信システム内で用いられ得る例示の無線アクセスネットワーク（ＲＡＮ）および例示のコアネットワーク（ＣＮ）を示すシステム図である。
【図１Ｄ】実施形態による、図１Ａに示される通信システム内で用いられ得る他の例示のＲＡＮおよび他の例示のＣＮを示すシステム図である。
【図２】スロット当たりの可変数の制御リソースセット（ＣＯＲＥＳＥＴ）の中での、例示の物理ダウンリンク制御チャネル（ＰＤＣＣＨ）候補割り振りを示す図である。
【図３】異なる不連続受信（ＤＲＸ）状態に対する例示のＰＤＣＣＨ候補割り振りを示す図である。
【図４】探索空間からＰＤＣＣＨ候補を削除するためのアルゴリズムを示す方法フロー図である。
【図５】本明細書で述べられる実施形態による、１つのＰＤＣＣＨ候補決定を示す方法フロー図である。
【発明を実施するための形態】
【０００５】
図１Ａは、１つまたは複数の開示される実施形態が実施され得る、例示の通信システム１００を示す図である。通信システム１００は、複数の無線ユーザに音声、データ、ビデオ、メッセージング、ブロードキャストなどのコンテンツをもたらす多元接続方式とすることができる。通信システム１００は、複数の無線ユーザが、無線帯域幅を含む、システムリソースの共有を通してこのようなコンテンツにアクセスすることを可能にする。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタ型ＯＦＤＭ、フィルタバンクマルチキャリア（ＦＢＭＣ）などの１つまたは複数のチャネルアクセス方法を使用することができる。
【０００６】
図１Ａに示されるように、通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０および他のネットワーク１１２を含むことができるが、開示される実施形態は任意の数のＷＴＲＵ、基地局、ネットワークおよび／またはネットワーク要素を企図することが理解されるであろう。ＷＴＲＵ１０２ａ、１０２ｂ、１０２ｃ、１０２ｄのそれぞれは、無線環境において動作および／または通信するように構成された任意の種類のデバイスとすることができる。例えば、そのいずれも「ステーション」および／または「ＳＴＡ」と呼ばれ得るＷＴＲＵ１０２ａ、１０２ｂ、１０２ｃ、１０２ｄは、無線信号を送信および／または受信するように構成され、ユーザ機器（ＵＥ）、移動局、固定または移動体加入者ユニット、サブスクリプションベースのユニット、ページャ、携帯電話、携帯情報端末（ＰＤＡ）、スマートフォン、ラップトップ、ネットブック、パーソナルコンピュータ、無線センサ、ホットスポットまたはＭｉ−Ｆｉデバイス、モノのインターネット（ＩｏＴ）デバイス、ウォッチまたは他のウェアラブル、ヘッドマウントディスプレイ（ＨＭＤ）、乗り物、ドローン、医療機器およびアプリケーション（例えば、遠隔手術）、産業用機器およびアプリケーション（例えば、産業および／または自動化処理チェーンの関連において動作する、ロボットおよび／または他の無線デバイス）、民生用エレクトロニクスデバイス、商用および／または産業用無線ネットワーク上で動作するデバイスなどを含み得る。ＷＴＲＵ１０２ａ、１０２ｂ、１０２ｃおよび１０２ｄのいずれも、同義的にＵＥと呼ばれ得る。
【０００７】
通信システム１００はまた、基地局１１４ａおよび／または基地局１１４ｂを含み得る。基地局１１４ａ、１１４ｂのそれぞれは、ＣＮ１０６／１１５、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄの少なくとも１つとワイヤレスにインターフェース接続するように構成された任意の種類のデバイスとすることができる。例えば、基地局１１４ａ、１１４ｂは、基地トランシーバ局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、無線ルータなどとすることができる。基地局１１４ａ、１１４ｂはそれぞれ単一の要素として描かれるが、基地局１１４ａ、１１４ｂは、任意の数の相互接続された基地局および／またはネットワーク要素を含み得ることが理解されるであろう。
【０００８】
基地局１１４ａは、基地局コントローラ（ＢＳＣ）、無線ネットワークコントローラ（ＲＮＣ）、中継ノードなどの、他の基地局および／またはネットワーク要素（図示せず）も含み得るＲＡＮ１０４／１１３の一部とすることができる。基地局１１４ａおよび／または基地局１１４ｂは、セル（図示せず）と呼ばれ得る１つまたは複数のキャリア周波数上で無線信号を送信および／または受信するように構成され得る。これらの周波数は認可されたスペクトル、無認可のスペクトル、または認可されたおよび無認可のスペクトルの組合せにおけるものすることができる。セルは、比較的固定的であり得る、または時間と共に変化し得る、特定の地理的エリアに対する無線サービスのためのカバレッジをもたらし得る。セルは、セルセクタにさらに分割され得る。例えば、基地局１１４ａに関連付けられたセルは、３つのセクタに分割され得る。従って、一実施形態において、基地局１１４ａは３つのトランシーバ、即ち、セルの各セクタに対して１つずつを含むことができる。実施形態において、基地局１１４ａは、ＭＩＭＯ技術を使用することができ、セルの各セクタに対して複数のトランシーバを利用することができる。例えば、所望の空間方向において信号を送信および／または受信するようにビームフォーミングが用いられ得る。
【０００９】
基地局１１４ａ、１１４ｂは、任意の適切な無線通信リンク（例えば、無線周波数（ＲＦ）、マイクロ波、センチメートル波、マイクロメートル波、赤外線（ＩＲ）、紫外線（ＵＶ）、可視光など）とすることができるエアインターフェース１１６を通して、ＷＴＲＵ１０２ａ、１０２ｂ、１０２ｃ、１０２ｄの１つまたは複数と通信することができる。エアインターフェース１１６は、任意の適切な無線アクセス技術（ＲＡＴ）を用いて確立され得る。
【００１０】
より具体的には、上記のように、通信システム１００は多元接続方式とすることができ、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。例えば、ＲＡＮ１０４／１１３内の基地局１１４ａ、およびＷＴＲＵ１０２ａ、１０２ｂ、１０２ｃは、ユニバーサルモバイル電気通信システム（ＵＭＴＳ）地上無線アクセス（ＵＴＲＡ）などの無線技術を実施することができ、これは広帯域ＣＤＭＡ（ＷＣＤＭＡ（登録商標））を用いてエアインターフェース１１６を確立することができる。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１１】
実施形態において、基地局１１４ａおよびＷＴＲＵ１０２ａ、１０２ｂ、１０２ｃは、発展型ＵＭＴＳ地上無線アクセス（Ｅ−ＵＴＲＡ）などの無線技術を実施することができ、これはロングタームエボリューション（ＬＴＥ）および／またはＬＴＥ−Ａｄｖａｎｃｅｄ（ＬＴＥ−Ａ）および／またはＬＴＥ−Ａｄｖａｎｃｅｄ  Ｐｒｏ（ＬＴＥ−Ａ  Ｐｒｏ）を用いてエアインターフェース１１６を確立することができる。
【００１２】
実施形態において、基地局１１４ａおよびＷＴＲＵ１０２ａ、１０２ｂ、１０２ｃは、ＮＲ無線アクセスなどの無線技術を実施することができ、これは新無線（ＮＲ）を用いてエアインターフェース１１６を確立することができる。
【００１３】
実施形態において、基地局１１４ａおよびＷＴＲＵ１０２ａ、１０２ｂ、１０２ｃは、複数の無線アクセス技術を実施することができる。例えば、基地局１１４ａおよびＷＴＲＵ１０２ａ、１０２ｂ、１０２ｃは、例えば、デュアルコネクティビティ（ＤＣ）原理を用いて、ＬＴＥ無線アクセスおよびＮＲ無線アクセスを一緒に実施することができる。従って、ＷＴＲＵ１０２ａ、１０２ｂ、１０２ｃによって利用されるエアインターフェースは、複数の種類の無線アクセス技術、および／または複数の種類の基地局（例えば、ｅＮＢおよびｇＮＢ）に、またはそれらから、送られる送信によって特徴付けられ得る。
【００１４】
他の実施形態において、基地局１１４ａおよびＷＴＲＵ１０２ａ、１０２ｂ、１０２ｃは、ＩＥＥＥ８０２．１１（即ち、無線フィデリティ（ＷｉＦｉ））、ＩＥＥＥ８０２．１６（即ち、マイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、ＧＳＭ  ＥＤＧＥ（ＧＥＲＡＮ）などの無線技術を実施することができる。
【００１５】
図１Ａの基地局１１４ｂは、例えば、無線ルータ、ホームノードＢ、ホームｅノードＢ、またはアクセスポイントとすることができ、事業所、自宅、乗り物、キャンパス、産業施設、空中回廊（例えば、ドローンによる使用のための）、車道などの、局在したエリア内の無線接続性を容易にするための任意の適切なＲＡＴを利用することができる。一実施形態において、基地局１１４ｂおよびＷＴＲＵ１０２ｃ、１０２ｄは、ＩＥＥＥ８０２．１１などの無線技術を実施して、無線ローカルエリアネットワーク（ＷＬＡＮ）を確立することができる。実施形態において、基地局１１４ｂおよびＷＴＲＵ１０２ｃ、１０２ｄは、ＩＥＥＥ８０２．１５などの無線技術を実施して、無線パーソナルエリアネットワーク（ＷＰＡＮ）を確立することができる。他の実施形態において、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０への直接接続を有し得る。従って、基地局１１４ｂは、ＣＮ１０６／１１５を通じてインターネット１１０にアクセスすることを必要とされ得ない。
【００１６】
ＲＡＮ１０４／１１３はＣＮ１０６／１１５と通信することができ、これは音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数にもたらすように構成された、任意の種類のネットワークとすることができる。データは、異なるスループット要件、待ち時間要件、エラー耐性要件、信頼性要件、データスループット要件、モビリティ要件などの様々なサービス品質（ＱｏＳ）要件を有し得る。ＣＮ１０６／１１５は、呼制御、料金請求サービス、モバイル位置情報サービス、プリペイドコール、インターネット接続性、ビデオ配信などをもたらすことができ、および／またはユーザ認証などの高レベルセキュリティ機能を行うことができる。図１Ａに示されないが、ＲＡＮ１０４／１１３および／またはＣＮ１０６／１１５は、ＲＡＮ１０４／１１３と同じＲＡＴまたは異なるＲＡＴを使用する他のＲＡＮと、直接または間接に通信し得ることが理解されるであろう。例えば、ＮＲ無線技術を利用し得るＲＡＮ１０４／１１３に接続されることに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を使用する他のＲＡＮ（図示せず）と通信することができる。
【００１７】
ＣＮ１０６／１１５はまた、ＷＴＲＵ１０２ａ、１０２ｂ、１０２ｃ、１０２ｄが、ＰＳＴＮ１０８、インターネット１１０および／または他のネットワーク１１２にアクセスするためのゲートウェイとして働くことができる。ＰＳＴＮ１０８は、従来型電話サービス（ＰＯＴＳ：plain old telephone service）をもたらす回線交換電話ネットワークを含むことができる。インターネット１１０は、ＴＣＰ／ＩＰインターネットプロトコル群におけるＴＣＰ、ＵＤＰ、および／またはＩＰなどの共通通信プロトコルを用いる、相互接続されたコンピュータネットワークおよびデバイスの地球規模のシステムを含むことができる。ネットワーク１１２は、他のサービスプロバイダによって所有および／または運用される有線および／または無線通信ネットワークを含むことができる。例えばネットワーク１１２は、ＲＡＮ１０４／１１３と同じＲＡＴまたは異なるＲＡＴを使用し得る１つまたは複数のＲＡＮに接続された、他のＣＮを含むことができる。
【００１８】
通信システム１００内のＷＴＲＵ１０２ａ、１０２ｂ、１０２ｃ、１０２ｄのいくつかまたは全ては、マルチモード能力を含むことができる（例えば、ＷＴＲＵ１０２ａ、１０２ｂ、１０２ｃ、１０２ｄは、異なる無線リンクを通して異なる無線ネットワークと通信するための、複数のトランシーバを含むことができる）。例えば、図１Ａに示されるＷＴＲＵ１０２ｃは、セルラベースの無線技術を使用可能な基地局１１４ａと、およびＩＥＥＥ８０２無線技術を使用可能な基地局１１４ｂと通信するように構成され得る。
【００１９】
図１Ｂは、例示のＷＴＲＵ１０２を示すシステム図である。図１Ｂに示されるように、ＷＴＲＵ１０２は中でも、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および／または他の周辺装置１３８を含み得る。ＷＴＲＵ１０２は、実施形態と一貫性を保ちながら、前述の要素の任意のサブコンビネーションを含み得ることが理解されるであろう。
【００２０】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他の種類の集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行い得る。プロセッサ１１８はトランシーバ１２０に結合されることができ、これは送受信要素１２２に結合され得る。図１Ｂはプロセッサ１１８およびトランシーバ１２０を個別の構成要素として描いているが、プロセッサ１１８およびトランシーバ１２０は、電子回路パッケージまたはチップ内に一緒に一体化され得ることが理解されるであろう。
【００２１】
送受信要素１２２は、エアインターフェース１１６を通して基地局（例えば、基地局１１４ａ）に信号を送信し、またはそれから信号を受信するように構成され得る。例えば、一実施形態において、送受信要素１２２は、ＲＦ信号を送信および／または受信するように構成されたアンテナとすることができる。実施形態において、送受信要素１２２は例えば、ＩＲ、ＵＶ、または可視光信号を送信および／または受信するように構成された放射器／検出器とすることができる。他の実施形態において、送受信要素１２２は、ＲＦおよび光信号の両方を送信および／または受信するように構成され得る。送受信要素１２２は、無線信号の任意の組合せを送信および／または受信するように構成され得ることが理解されるであろう。
【００２２】
図１Ｂでは送受信要素１２２は単一の要素として描かれるが、ＷＴＲＵ１０２は任意の数の送受信要素１２２を含み得る。より具体的には、ＷＴＲＵ１０２はＭＩＭＯ技術を使用し得る。従って、一実施形態において、ＷＴＲＵ１０２は、エアインターフェース１１６を通して無線信号を送信および受信するための２つ以上の送受信要素１２２（例えば、複数のアンテナ）を含み得る。
【００２３】
トランシーバ１２０は、送受信要素１２２によって送信されることになる信号を変調するように、および送受信要素１２２によって受信された信号を復調するように構成され得る。上記のように、ＷＴＲＵ１０２はマルチモード能力を有し得る。従って、トランシーバ１２０は、ＷＴＲＵ１０２が例えばＮＲおよびＩＥＥＥ８０２．１１などの複数のＲＡＴを通じて通信することを可能にするための複数のトランシーバを含み得る。
【００２４】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニット、または有機発光ダイオード（ＯＬＥＤ）ディスプレイユニット）に結合されることができ、およびそれらからユーザ入力データを受信することができる。プロセッサ１１８はまた、ユーザデータをスピーカ／マイクロフォン１２４、キーパッド１２６、および／またはディスプレイ／タッチパッド１２８に出力することができる。加えて、プロセッサ１１８は、非リムーバブルメモリ１３０および／またはリムーバブルメモリ１３２などの、任意のタイプの適切なメモリからの情報にアクセスし、それにデータを記憶することができる。非リムーバブルメモリ１３０は、ＲＡＭ、ＲＯＭ、ハードディスク、または任意の他のタイプのメモリ記憶デバイスを含み得る。リムーバブルメモリ１３２は、加入者識別モジュール（ＳＩＭ）カード、メモリスティック、セキュアデジタル（ＳＤ）メモリカードなどを含み得る。他の実施形態において、プロセッサ１１８は、サーバまたはホームコンピュータ（図示せず）上など、ＷＴＲＵ１０２上に物理的に位置しないメモリからの情報にアクセスし、それにデータを記憶することができる。
【００２５】
プロセッサ１１８は、電源１３４から電力を受け取ることができ、ＷＴＲＵ１０２内の他の構成要素に対する電力を分配および／または制御するように構成され得る。電源１３４は、ＷＴＲＵ１０２に電力供給するための任意の適切なデバイスとすることができる。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２６】
プロセッサ１１８はまたＧＰＳチップセット１３６に結合されることができ、これはＷＴＲＵ１０２の現在位置に関しての位置情報（例えば、経度および緯度）をもたらすように構成され得る。ＧＰＳチップセット１３６からの情報に加えて、またはその代わりに、ＷＴＲＵ１０２はエアインターフェース１１６を通して、基地局（例えば、基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と一貫性を保ちながら、任意の適切な位置決定方法によって位置情報を取得し得ることが理解されるであろう。
【００２７】
プロセッサ１１８は他の周辺装置１３８にさらに結合されることができ、これは追加の特徴、機能、および／または有線もしくは無線接続性をもたらす１つまたは複数のソフトウェアおよび／またはハードウェアモジュールを含むことができる。例えば、周辺装置１３８は加速度計、電子コンパス、衛星トランシーバ、デジタルカメラ（写真および／またはビデオ用）、ＵＳＢポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、アクティビティトラッカなどを含むことができる。周辺装置１３８は１つまたは複数のセンサを含むことができ、センサはジャイロスコープ、加速度計、ホール効果センサ、方位センサ、近接センサ、温度センサ、時間センサ；ジオロケーションセンサ、高度計、光センサ、タッチセンサ、磁力計、気圧計、ジェスチャセンサ、生体センサ、および／または湿度センサの１つまたは複数とすることができる。
【００２８】
ＷＴＲＵ１０２は、信号（例えば、ＵＬ（例えば、送信用）およびダウンリンク（例えば、受信用）の両方のための特定のサブフレームに関連付けられた）のいくつかまたは全ての、送信および受信がコンカレントおよび／または同時となり得る、全二重無線を含むことができる。全二重無線は、ハードウェア（例えば、チョーク）、またはプロセッサを通じた（例えば、別個のプロセッサ（図示せず）、またはプロセッサ１１８を通じた）信号処理によって、自己干渉を低減するおよび／または実質的に除去するための干渉管理ユニット１３９を含むことができる。実施形態において、ＷＴＲＵ１０２は、信号（例えば、ＵＬ（例えば、送信用）、またはダウンリンク（例えば、受信用）のための特定のサブフレームに関連付けられた）のいくつかまたは全ての送信および受信がコンカレントおよび／または同時となり得る、半二重無線を含み得る。
【００２９】
図１Ｃは、実施形態によるＲＡＮ１０４およびＣＮ１０６を示すシステム図である。上記のように、ＲＡＮ１０４はＥ−ＵＴＲＡ無線技術を使用して、エアインターフェース１１６を通してＷＴＲＵ１０２ａ、１０２ｂ、１０２ｃと通信することができる。ＲＡＮ１０４はまた、ＣＮ１０６と通信することができる。
【００３０】
ＲＡＮ１０４はｅノードＢ１６０ａ、１６０ｂ、１６０ｃを含むことができるが、ＲＡＮ１０４は、実施形態と一貫性を保ちながら、任意の数のｅノードＢを含み得ることが理解されるであろう。ｅノードＢ１６０ａ、１６０ｂ、１６０ｃはそれぞれ、エアインターフェース１１６を通してＷＴＲＵ１０２ａ、１０２ｂ、１０２ｃと通信するための１つまたは複数のトランシーバを含み得る。一実施形態において、ｅノードＢ１６０ａ、１６０ｂ、１６０ｃは、ＭＩＭＯ技術を実施し得る。従って、例えば、ｅノードＢ１６０ａは、複数のアンテナを用いてＷＴＲＵ１０２ａに無線信号を送信し、および／またはそれから無線信号を受信することができる。
【００３１】
ｅノードＢ１６０ａ、１６０ｂ、１６０ｃのそれぞれは、特定のセル（図示せず）に関連付けられることができ、無線リソース管理決定、ハンドオーバ決定、ＵＬおよび／またはＤＬにおけるユーザのスケジューリングなどを取り扱うように構成され得る。図１Ｃに示されるように、ｅノードＢ１６０ａ、１６０ｂ、１６０ｃは、Ｘ２インターフェースを通して互いに通信することができる。
【００３２】
図１Ｃに示されるＣＮ１０６は、モビリティ管理エンティティ（ＭＭＥ）１６２、サービングゲートウェイ（ＳＧＷ）１６４およびパケットデータネットワーク（ＰＤＮ）ゲートウェイ（またはＰＧＷ）１６６を含み得る。前述の要素のそれぞれはＣＮ１０６の一部として描かれるが、これらの要素のいずれもが、ＣＮオペレータ以外のエンティティによって所有および／または運用され得ることが理解されるであろう。
【００３３】
ＭＭＥ１６２は、Ｓ１インターフェースを通じてＲＡＮ１０４内のｅノードＢ１６０ａ、１６０ｂ、１６０ｃのそれぞれに接続され、制御ノードとして働くことができる。例えば、ＭＭＥ１６２は、ＷＴＲＵ１０２ａ、１０２ｂ、１０２ｃのユーザを認証すること、ベアラ活動化／非活動化、ＷＴＲＵ１０２ａ、１０２ｂ、１０２ｃの初期アタッチの間に特定のサービングゲートウェイを選択することなどを受け持ち得る。ＭＭＥ１６２は、ＲＡＮ１０４と、ＧＳＭおよび／またはＷＣＤＭＡなどの他の無線技術を使用する他のＲＡＮ（図示せず）との間で切り換えるための、制御プレーン機能をもたらし得る。
【００３４】
ＳＧＷ１６４は、Ｓ１インターフェースを通じてＲＡＮ１０４内のｅノードＢ１６０ａ、１６０ｂ、１６０ｃのそれぞれに接続され得る。ＳＧＷ１６４は一般に、ＷＴＲＵ１０２ａ、１０２ｂ、１０２ｃへのまたはそれらからのユーザデータパケットを経路指定および転送し得る。ＳＧＷ１６４は、ｅノードＢ間ハンドオーバの間にユーザプレーンをアンカリングすること、ＷＴＲＵ１０２ａ、１０２ｂ、１０２ｃのためのＤＬデータが利用可能であるときにページングをトリガすること、ＷＴＲＵ１０２ａ、１０２ｂ、１０２ｃのコンテキストを管理および記憶することなどの他の機能を行い得る。
【００３５】
ＳＧＷ１６４は、ＷＴＲＵ１０２ａ、１０２ｂ、１０２ｃと、ＩＰ対応デバイスとの間の通信を容易にするために、インターネット１１０などのパケット交換ネットワークへのアクセスをＷＴＲＵ１０２ａ、１０２ｂ、１０２ｃにもたらすことができるＰＧＷ１６６に接続され得る。
【００３６】
ＣＮ１０６は、他のネットワークとの通信を容易にすることができる。例えば、ＣＮ１０６は、ＷＴＲＵ１０２ａ、１０２ｂ、１０２ｃと、従来型の陸線通信デバイスとの間の通信を容易にするために、ＰＳＴＮ１０８等の回線交換ネットワークへのアクセスをＷＴＲＵ１０２ａ、１０２ｂ、１０２ｃにもたらし得る。例えば、ＣＮ１０６は、ＣＮ１０６とＰＳＴＮ１０８との間のインターフェースとして働くＩＰゲートウェイ（例えば、ＩＰマルチメディアサブシステム（ＩＭＳ）サーバ）を含むことができ、またはそれと通信することができる。また、ＣＮ１０６は、ＷＴＲＵ１０２ａ、１０２ｂ、１０２ｃに、他のサービスプロバイダによって所有および／または運用される他の有線および／または無線ネットワークを含み得る他のネットワーク１１２へのアクセスをもたらすことができる。
【００３７】
ＷＴＲＵは、図１Ａ〜図１Ｄでは無線端末として述べられるが、いくつかの代表的な実施形態においてこのような端末は、通信ネットワークとの有線通信インターフェースを用い得ること（例えば、一時的にまたは恒久的に）が企図される。
【００３８】
代表的な実施形態において他のネットワーク１１２は、ＷＬＡＮとすることができる。
【００３９】
インフラストラクチャ基本サービスセット（ＢＳＳ）モードでのＷＬＡＮは、ＢＳＳのためのアクセスポイント（ＡＰ）、およびＡＰに関連付けられた１つまたは複数のステーション（ＳＴＡ）を有し得る。ＡＰは、分配システム（ＤＳ）、またはＢＳＳ内へのおよび／またはそれからのトラフィックを運ぶ他のタイプの有線／無線ネットワークへの、アクセスまたはインターフェースを有することができる。ＢＳＳの外部から生じるＳＴＡへのトラフィックは、ＡＰを通して到着することができ、ＳＴＡに届けられ得る。ＳＴＡから生じる、ＢＳＳの外部の宛先へのトラフィックは、ＡＰに送られてそれぞれの宛先に届けられ得る。ＢＳＳ内のＳＴＡ間のトラフィックはＡＰを通して送られることができ、例えば、ここで送信元ＳＴＡはトラフィックをＡＰに送ることができ、ＡＰはトラフィックを宛先ＳＴＡに届けることができる。ＢＳＳ内のＳＴＡ間のトラフィックは、ピアツーピアトラフィックと考えられるおよび／または呼ばれることができる。ピアツーピアトラフィックは、直接リンクセットアップ（ＤＬＳ）によって、送信元と宛先ＳＴＡとの間で（例えば、それらの間で直接）送られ得る。いくつかの代表的な実施形態において、ＤＬＳは、８０２．１１ｅ  ＤＬＳまたは８０２．１１ｚトンネルＤＬＳ（ＴＤＬＳ）を用いることができる。独立ＢＳＳ（ＩＢＳＳ）モードを用いるＷＬＡＮはＡＰをもたなくてもよく、ＩＢＳＳにおけるまたはそれを用いるＳＴＡ（例えば、ＳＴＡの全て）は、互いに直接通信することができる。ＩＢＳＳ通信モードは本明細書においてときには、「アドホック」通信モードと呼ばれ得る。
【００４０】
８０２．１１ａｃインフラストラクチャ動作モードまたは同様な動作モードを用いるとき、ＡＰは、プライマリチャネルなどの固定チャネル上にビーコンを送信することができる。プライマリチャネルは固定の幅とする（例えば、２０ＭＨｚ幅の帯域幅）、またはシグナリングを通じて動的に設定される幅とすることができる。プライマリチャネルはＢＳＳの動作チャネルとすることができ、ＳＴＡによってＡＰとの接続を確立するために用いられ得る。いくつかの代表的な実施形態では、例えば８０２．１１システムにおいて、キャリア検知多重アクセス／衝突回避（ＣＳＭＡ／ＣＡ）が実施され得る。ＣＳＭＡ／ＣＡに対して、ＡＰを含む、ＳＴＡ（例えば、あらゆるＳＴＡ）はプライマリチャネルを検知することができる。特定のＳＴＡによって、プライマリチャネルがビジーであることが検知／検出され、および／または決定された場合、特定のＳＴＡはバックオフすることができる。所与のＢＳＳにおける任意の所与の時点において、１つのＳＴＡ（例えば、１つのステーションのみ）が送信することができる。
【００４１】
高スループット（ＨＴ）ＳＴＡは通信のために、例えば、４０ＭＨｚ幅のチャネルを形成するようにプライマリ２０ＭＨｚチャネルと、隣接したまたは隣接しない２０ＭＨｚチャネルとの組合せを通じて、４０ＭＨｚ幅のチャネルを用いることができる。
【００４２】
超高スループット（ＶＨＴ）ＳＴＡは、２０ＭＨｚ、４０ＭＨｚ、８０ＭＨｚ、および／または１６０ＭＨｚ幅のチャネルをサポートすることができる。４０ＭＨｚおよび／または８０ＭＨｚチャネルは、連続した２０ＭＨｚチャネルを組み合わせることによって形成され得る。１６０ＭＨｚチャネルは、８つの連続した２０ＭＨｚチャネルを組み合わせることによって、または８０＋８０構成と呼ばれ得る２つの連続しない８０ＭＨｚチャネルを組み合わせることによって形成され得る。８０＋８０構成に対してデータは、チャネルエンコーディングの後、データを２つのストリームに分割することができるセグメントパーサに通過され得る。各ストリームに対して別々に、逆高速フーリエ変換（ＩＦＦＴ）処理、および時間領域処理が行われ得る。ストリームは２つの８０ＭＨｚチャネル上にマッピングされることができ、データは送信するＳＴＡによって送信され得る。受信するＳＴＡの受信器では、８０＋８０構成に対する上述の動作が逆にされることができ、組み合わされたデータはメディアアクセス制御（ＭＡＣ）に送られ得る。
【００４３】
サブ１ＧＨｚ動作モードは、８０２．１１ａｆおよび８０２．１１ａｈによってサポートされる。８０２．１１ａｆおよび８０２．１１ａｈにおいてチャネル動作帯域幅およびキャリアは、８０２．１１ｎおよび８０２．１１ａｃで用いられるものと比べて低減される。８０２．１１ａｆはＴＶホワイトスペース（ＴＶＷＳ）スペクトル内の５ＭＨｚ、１０ＭＨｚおよび２０ＭＨｚ帯域幅をサポートし、８０２．１１ａｈは非ＴＶＷＳスペクトルを用いた１ＭＨｚ、２ＭＨｚ、４ＭＨｚ、８ＭＨｚおよび１６ＭＨｚ帯域幅をサポートする。代表的な実施形態によれば、８０２．１１ａｈは、マクロカバレッジエリア内のＭＴＣデバイスなど、メータタイプ制御／マシンタイプ通信をサポートすることができる。ＭＴＣデバイスは一定の能力、例えば、一定のおよび／または制限された帯域幅に対するサポート（例えば、それらに対するサポートのみ）を含む制限された能力を有することができる。ＭＴＣデバイスは、閾値より大きい電池寿命を有する電池を含むことができる（例えば、非常に長い電池寿命を維持するように）。
【００４４】
８０２．１１ｎ、８０２．１１ａｃ、８０２．１１ａｆおよび８０２．１１ａｈなど、複数のチャネルおよびチャネル帯域幅をサポートし得るＷＬＡＮシステムは、プライマリチャネルとして指定され得るチャネルを含む。プライマリチャネルは、ＢＳＳ内の全てのＳＴＡによってサポートされる最も大きな共通動作帯域幅に等しい帯域幅を有することができる。プライマリチャネルの帯域幅は、最小の帯域幅動作モードをサポートする、ＢＳＳ内で動作する全てのＳＴＡの中からの、ＳＴＡによって設定および／または制限され得る。８０２．１１ａｈの例において、プライマリチャネルは、ＡＰ、およびＢＳＳ内の他のＳＴＡが２ＭＨｚ、４ＭＨｚ、８ＭＨｚ、１６ＭＨｚおよび／または他のチャネル帯域幅動作モードをサポートする場合でも、１ＭＨｚモードをサポートする（例えば、それのみをサポートする）ＳＴＡ（例えば、ＭＴＣタイプデバイス）のために１ＭＨｚ幅とすることができる。キャリア検知および／またはネットワーク割り振りベクトル（ＮＡＶ）設定は、プライマリチャネルのステータスに依存し得る。例えば、ＡＰに送信するＳＴＡ（１ＭＨｚ動作モードのみをサポートする）に起因してプライマリチャネルがビジーである場合、たとえ周波数帯域の大部分がアイドルのままであり利用可能であり得る場合でも、利用可能な周波数帯域全体がビジーであると見なされ得る。
【００４５】
米国において、８０２．１１ａｈによって用いられ得る利用可能な周波数帯域は、９０２ＭＨｚから９２８ＭＨｚである。韓国における利用可能な周波数帯域は、９１７．５ＭＨｚから９２３．５ＭＨｚである。日本における利用可能な周波数帯域は、９１６．５ＭＨｚから９２７．５ＭＨｚである。８０２．１１ａｈのために利用可能な総帯域幅は、国コードに応じて６ＭＨｚから２６ＭＨｚである。
【００４６】
図１Ｄは、実施形態によるＲＡＮ１１３およびＣＮ１１５を示すシステム図である。上記のように、ＲＡＮ１１３はＮＲ無線技術を使用して、エアインターフェース１１６を通してＷＴＲＵ１０２ａ、１０２ｂ、１０２ｃと通信することができる。ＲＡＮ１１３はまた、ＣＮ１１５と通信することができる。
【００４７】
ＲＡＮ１１３は、ｇＮＢ１８０ａ、１８０ｂ、１８０ｃを含むことができるが、ＲＡＮ１１３は実施形態と一貫性を保ちながら、任意の数のｇＮＢを含み得ることが理解されるであろう。ｇＮＢ１８０ａ、１８０ｂ、１８０ｃはそれぞれ、エアインターフェース１１６を通してＷＴＲＵ１０２ａ、１０２ｂ、１０２ｃと通信するための１つまたは複数のトランシーバを含むことができる。一実施形態においてｇＮＢ１８０ａ、１８０ｂ、１８０ｃは、ＭＩＭＯ技術を実施することができる。例えば、ｇＮＢ１８０ａ、１０８ｂは、ｇＮＢ１８０ａ、１８０ｂ、１８０ｃに信号を送信し、および／またはそれらから信号を受信するために、ビームフォーミングを利用することができる。従って、ｇＮＢ１８０ａは、例えば複数のアンテナを用いてＷＴＲＵ１０２ａに無線信号を送信し、および／またはそれから無線信号を受信することができる。実施形態においてｇＮＢ１８０ａ、１８０ｂ、１８０ｃは、キャリアアグリゲーション技術を実施することができる。例えばｇＮＢ１８０ａは、複数のコンポーネントキャリアをＷＴＲＵ１０２ａに送信することができる（図示せず）。これらのコンポーネントキャリアのサブセットは無認可のスペクトル上とすることができ、一方、残りのコンポーネントキャリアは認可されたスペクトル上とすることができる。実施形態において、ｇＮＢ１８０ａ、１８０ｂ、１８０ｃは、協調マルチポイント（ＣｏＭＰ）技術を実施することができる。例えばＷＴＲＵ１０２ａは、ｇＮＢ１８０ａおよびｇＮＢ１８０ｂ（および／またはｇＮＢ１８０ｃ）からの協調された送信を受信することができる。
【００４８】
ＷＴＲＵ１０２ａ、１０２ｂ、１０２ｃは、スケーラブルニューメロロジーに関連付けられた送信を用いてｇＮＢ１８０ａ、１８０ｂ、１８０ｃと通信することができる。例えば、ＯＦＤＭシンボル間隔および／またはＯＦＤＭサブキャリア間隔は、異なる送信、異なるセル、および／または無線送信スペクトルの異なる部分に対して変わり得る。ＷＴＲＵ１０２ａ、１０２ｂ、１０２ｃは、多様なまたはスケーラブルな長さ（例えば、様々な数のＯＦＤＭシンボルを含んだ、および／または様々な長さの絶対時間だけ継続する）のサブフレームまたは送信時間間隔（ＴＴＩ）を用いて、ｇＮＢ１８０ａ、１８０ｂ、１８０ｃと通信することができる。
【００４９】
ｇＮＢ１８０ａ、１８０ｂ、１８０ｃは、スタンドアロン構成および／または非スタンドアロン構成において、ＷＴＲＵ１０２ａ、１０２ｂ、１０２ｃと通信するように構成され得る。スタンドアロン構成において、ＷＴＲＵ１０２ａ、１０２ｂ、１０２ｃは、他のＲＡＮ（例えば、ｅノードＢ１６０ａ、１６０ｂ、１６０ｃなど）にもアクセスせずに、ｇＮＢ１８０ａ、１８０ｂ、１８０ｃと通信することができる。スタンドアロン構成において、ＷＴＲＵ１０２ａ、１０２ｂ、１０２ｃは、ｇＮＢ１８０ａ、１８０ｂ、１８０ｃの１つまたは複数をモビリティアンカポイントとして利用することができる。スタンドアロン構成において、ＷＴＲＵ１０２ａ、１０２ｂ、１０２ｃは、無認可の帯域内の信号を用いてｇＮＢ１８０ａ、１８０ｂ、１８０ｃと通信することができる。非スタンドアロン構成において、ＷＴＲＵ１０２ａ、１０２ｂ、１０２ｃは、ｅノードＢ１６０ａ、１６０ｂ、１６０ｃなどの他のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃはＤＣ原理を実施して、１つまたは複数のｇＮＢ１８０ａ、１８０ｂ、１８０ｃ、および１つまたは複数のｅノードＢ１６０ａ、１６０ｂ、１６０ｃと実質的に同時に通信することができる。非スタンドアロン構成において、ｅノードＢ１６０ａ、１６０ｂ、１６０ｃは、ＷＴＲＵ１０２ａ、１０２ｂ、１０２ｃのためのモビリティアンカとして働くことができ、ｇＮＢ１８０ａ、１８０ｂ、１８０ｃは、ＷＴＲＵ１０２ａ、１０２ｂ、１０２ｃにサービスするための追加のカバレッジおよび／またはスループットをもたらし得る。
【００５０】
ｇＮＢ１８０ａ、１８０ｂ、１８０ｃのそれぞれは、特定のセル（図示せず）に関連付けられることができ、無線リソース管理決定、ハンドオーバ決定、ＵＬおよび／またはＤＬにおけるユーザのスケジューリング、ネットワークスライシングのサポート、デュアルコネクティビティ、ＮＲとＥ−ＵＴＲＡとの間のインターワーキング、ユーザプレーンデータをユーザプレーン機能（ＵＰＦ）１８４ａ、１８４ｂに向けて経路指定すること、制御プレーン情報をアクセスおよびモビリティ管理機能（ＡＭＦ）１８２ａ、１８２ｂに向けて経路指定することなどに対処するように構成され得る。図１Ｄに示されるように、ｇＮＢ１８０ａ、１８０ｂ、１８０ｃは、Ｘｎインターフェースを通して互いに通信することができる。
【００５１】
図１Ｄに示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含み得る。前述の要素のそれぞれはＣＮ１１５の一部として描かれるが、これらの要素のいずれも、ＣＮオペレータ以外のエンティティによって所有および／または運用され得ることが理解されるであろう。
【００５２】
ＡＭＦ１８２ａ、１８２ｂは、Ｎ２インターフェースを通じてＲＡＮ１１３内のｇＮＢ１８０ａ、１８０ｂ、１８０ｃの１つまたは複数に接続されることができ、制御ノードとして働くことができる。例えば、ＡＭＦ１８２ａ、１８２ｂは、ＷＴＲＵ１０２ａ、１０２ｂ、１０２ｃのユーザを認証すること、ネットワークスライシングのためのサポート（例えば、異なる要件を有する異なるＰＤＵセッションの対処）、特定のＳＭＦ１８３ａ、１８３ｂを選択すること、レジストレーションエリアの管理、ＮＡＳシグナリングの終了、モビリティ管理などに対して責任をもち得る。ネットワークスライシングは、ＷＴＲＵ１０２ａ、１０２ｂ、１０２ｃによって利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって用いられ得る。例えば、異なるネットワークスライスは、超高信頼度低待ち時間（ＵＲＬＬＣ）アクセスに依存したサービス、強化型大規模モバイルブロードバンド（ｅＭＢＢ）アクセスに依存したサービス、マシンタイプ通信（ＭＴＣ）アクセスのためのサービス、および／または同様のものなどの、異なるユースケースに対して確立され得る。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術などの他の無線技術を使用する他のＲＡＮ（図示せず）との間で切り換えるための、制御プレーン機能をもたらすことができる。
【００５３】
ＳＭＦ１８３ａ、１８３ｂは、Ｎ１１インターフェースを通じてＣＮ１１５内のＡＭＦ１８２ａ、１８２ｂに接続され得る。ＳＭＦ１８３ａ、１８３ｂはまた、Ｎ４インターフェースを通じてＣＮ１１５内のＵＰＦ１８４ａ、１８４ｂに接続され得る。ＳＭＦ１８３ａ、１８３ｂは、ＵＰＦ１８４ａ、１８４ｂを選択および制御し、ＵＰＦ１８４ａ、１８４ｂを通るトラフィックの経路指定を構成することができる。ＳＭＦ１８３ａ、１８３ｂは、ＵＥ  ＩＰアドレスを管理するおよび割り振ること、ＰＤＵセッションを管理すること、ポリシー実行およびＱｏＳを制御すること、ダウンリンクデータ通知をもたらすことなどの他の機能を行うことができる。ＰＤＵセッションタイプは、ＩＰベース、非ＩＰベース、イーサネットベースなどとすることができる。
【００５４】
ＵＰＦ１８４ａ、１８４ｂは、Ｎ３インターフェースを通じてＲＡＮ１１３内のｇＮＢ１８０ａ、１８０ｂ、１８０ｃの１つまたは複数に接続されることができ、これはＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃにもたらすことができる。ＵＰＦ１８４ａ、１８４ｂは、パケットを経路指定および転送すること、ユーザプレーンポリシーを実行すること、マルチホーム型ＰＤＵセッションをサポートすること、ユーザプレーンＱｏＳに対処すること、ダウンリンクパケットをバッファすること、モビリティアンカリングをもたらすことなどの他の機能を行うことができる。
【００５５】
ＣＮ１１５は、他のネットワークとの通信を容易にすることができる。例えばＣＮ１１５は、ＣＮ１１５とＰＳＴＮ１０８との間のインターフェースとして働くＩＰゲートウェイ（例えば、ＩＰマルチメディアサブシステム（ＩＭＳ）サーバ）を含むことができ、またはそれと通信することができる。さらに、ＣＮ１１５は、ＷＴＲＵ１０２ａ、１０２ｂ、１０２ｃに、他のサービスプロバイダによって所有および／または運用される他の有線および／または無線ネットワークを含み得る他のネットワーク１１２へのアクセスをもたらすことができる。一実施形態において、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間のＮ６インターフェースを通じて、ＵＰＦ１８４ａ、１８４ｂを通してローカルデータネットワーク（ＤＮ）１８５ａ、１８５ｂに接続され得る。
【００５６】
図１Ａ〜図１Ｄ、および図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で述べられる任意の他のデバイスの１つまたは複数に関して、本明細書で述べられる機能の１つまたは複数、または全ては、１つまたは複数のエミュレーションデバイス（図示せず）によって行われ得る。エミュレーションデバイスは、本明細書で述べられる機能の１つまたは複数、または全てをエミュレートするように構成された１つまたは複数のデバイスとすることができる。例えば、エミュレーションデバイスは、他のデバイスをテストするため並びに／または、ネットワークおよび／もしくはＷＴＲＵ機能をシミュレートするために用いられ得る。
【００５７】
エミュレーションデバイスは、研究室環境および／またはオペレータネットワーク環境において他のデバイスの１つまたは複数のテストを実施するように設計され得る。例えば、１つまたは複数のエミュレーションデバイスは、通信ネットワーク内の他のデバイスをテストするために、有線および／または無線通信ネットワークの一部として、全体的にまたは部分的に実施および／または配備されながら、１つまたは複数の、または全ての機能を行うことができる。１つまたは複数のエミュレーションデバイスは、有線および／または無線通信ネットワークの一部として、一時的に実施／配備されながら、１つまたは複数の、または全ての機能を行うことができる。エミュレーションデバイスは、テストの目的のために別のデバイスに直接結合されることができ、および／またはオーバーザエア無線通信を用いてテストを行い得る。
【００５８】
１つまたは複数のエミュレーションデバイスは、有線および／または無線通信ネットワークの一部として実施／配備されずに、全てを含む１つまたは複数の機能を行うことができる。例えば、エミュレーションデバイスは、１つまたは複数の構成要素のテストを実施するために、テスト室並びに／または配備されていない（例えば、テストする）有線および／もしくは無線通信ネットワークにおけるテストシナリオにおいて利用され得る。１つまたは複数のエミュレーションデバイスは、テスト機器とすることができる。データを送信および／または受信するためにエミュレーションデバイスによって、直接ＲＦ結合、および／またはＲＦ回路（例えば、これは１つまたは複数のアンテナを含み得る）を通じた無線通信が、用いられ得る。
【００５９】
様々な必要性と共に様々な能力を有するある範囲のデバイスによる、スペクトルの効率的な使用を可能にするために、ＮＲにおいて制御シグナリングは前方互換となっている。ダウンリンク（ＤＬ）またはアップリンク（ＵＬ）スケジューリングのために、他の理由の中でも、ＷＴＲＵは、制御リソースセット（ＣＯＲＥＳＥＴ）内に位置する探索空間内のＰＤＣＣＨ候補を監視することができる。ＷＴＲＵは、所与のキャリアにおいて、例えば、キャリアの異なる周波数部分において、またはスロットの異なるシンボルにおいて、複数のＣＯＲＥＳＥＴを用いて構成され得る。ＰＤＣＣＨ候補は、それら自体が新無線リソース要素グループ（ＮＲ−ＲＥＧ）のセットである、新無線制御チャネル要素（ＮＲ−ＣＣＥ）のセットとして定義され得る。ＮＲ−ＲＥＧは、１つのＯＦＤＭシンボルまたは１つの無線フレームの間の、１つのリソースブロック（ＲＢ）として定義され得る。ＮＲ−ＰＤＣＣＨは、周波数において連続して、または連続せずにマッピングされ得る。ＮＲ−ＰＤＣＣＨおよびＰＤＣＣＨという用語は、本明細書では同義的に用いられ得る。
【００６０】
ＷＴＲＵは、ＰＤＣＣＨ候補において、ＷＴＲＵを対象とするダウンリンク制御情報（ＤＣＩ）の検出および復号を試みることができる（即ち、ブラインド検出を用いて）。ＰＤＣＣＨ候補は、ＮＲ−ＣＣＥのセットを備える。このようなＰＤＣＣＨ候補は、特定のＷＴＲＵのために構成された探索空間内に位置することができる。探索空間とは、その中でＷＴＲＵがそれのＰＤＣＣＨを見出し得るＮＲ−ＣＣＥ位置のセットを示し得る。探索空間は、セルまたは送信／受信ポイント（ＴＲＰ）内の全てのＷＴＲＵに共通、セル／ＴＲＰ内のＷＴＲＵのグループに共通、またはＷＴＲＵ固有とすることができる。そしてまた、ＷＴＲＵのために構成された探索空間は、ＷＴＲＵのために構成された複数の制御リソースセット（ＣＯＲＥＳＥＴ）内に位置することができる。探索空間および／またはＣＯＲＥＳＥＴは、監視周期性に関連付けられ得る。
【００６１】
ＷＴＲＵが、それがそれのＰＤＣＣＨ候補のいずれかにおいてＤＣＩを有するかどうかを決定する能力を有することを確実にするために、任意の所与の時点でＷＴＲＵが監視する必要があり得るＰＤＣＣＨ候補がどれだけあるかについて、制限が存在し得る。例えば、ＷＴＲＵは、スロット内に最大数のＰＤＣＣＨ候補を有し得る。他の例において、ＷＴＲＵは、スロットの全てのＰＤＣＣＨ候補がそれにマッピングされ得る、最大数のＮＲ−ＣＣＥを有し得る。スロットのＰＤＣＣＨ候補の全てがそれにマッピングされ得るＮＲ−ＣＣＥの最大数は、より高位のレイヤのシグナリングによってもたらされるＣＯＲＥＳＥＴプリコーダ細分性パラメータの関数とすることができる。
【００６２】
ＰＤＣＣＨ候補のセットは、探索空間、ＣＯＲＥＳＥＴ、時間要素、アグリゲーションレベル、ＤＣＩフォーマット、コンポーネントキャリア（ＣＣ）および／または帯域幅部分（ＢＷＰ）の少なくとも１つに関連付けられ得る。ＰＤＣＣＨ候補のセットが探索空間に関連付けられる場合は、ＰＤＣＣＨ候補の最大数は、探索空間タイプ（例えば、共通、グループ共通、またはＷＴＲＵ固有探索空間）にさらに依存し得る。ＰＤＣＣＨ候補のセットが時間要素に関連付けられる場合は、ＷＴＲＵはシンボル（もしくはそのグループ）当たり、スロット（もしくはそのグループ）当たり、またはサブフレーム（もしくはそのグループ）当たり、またはＴＴＩ当たりの、最大数までのＰＤＣＣＨ候補を監視することができる。このような時間要素は、サブキャリアサイズ（ＳＣＳ）に依存することができ、またはデフォルトＳＣＳに対して定義され得る。例において、ＷＴＲＵは、絶対時間期間当たり最大数までのＰＤＣＣＨ候補を監視することができる。
【００６３】
本明細書の以下では、上述の単一のパラメータに関連付けられたＰＤＣＣＨ候補のセットは、ＰＤＣＣＨ候補のグループ、および上述のパラメータはグループ化パラメータと呼ばれ得る。
【００６４】
いくつかのＰＤＣＣＨ候補が構成され得る。ＷＴＲＵは、ＰＤＣＣＨ候補の最大数までの、グループ当たりいくつかのＰＤＣＣＨ候補を用いて構成され得る。グループ当たりのＰＤＣＣＨ候補の最大数は、ＷＴＲＵの能力に依存することができ、または固定することができ、もしくは構成可能とすることができる。構成は、ＤＣＩ、ＭＡＣ制御要素（ＣＥ）、および／またはより高位のレイヤのシグナリングを通じて達成され得る。構成は、ＷＴＲＵ固有、グループ共通、または全てのＷＴＲＵに共通とすることができる。共通構成に対しては、ＰＤＣＣＨ候補の最大数はシステム情報に含められ得る。
【００６５】
実施形態において、ＷＴＲＵは、グループ当たり最大数のＰＤＣＣＨ候補より少ないもので動作するように構成され得る。このような場合、グループ当たりのＰＤＣＣＨ候補の数は、ＤＣＩ、ＭＡＣ  ＣＥ、および／またはより高位のレイヤのシグナリングを通じて構成され得る。１つの場合、グループ当たりのＰＤＣＣＨ候補の数はＷＴＲＵ固有のやり方で構成される。
【００６６】
ＰＤＣＣＨ候補の最大数が適用されるグループ化パラメータは、ＷＴＲＵ固有の数のＰＤＣＣＨ候補が適用されるグループ化パラメータとは異なり得る。例えば、最大数のＰＤＣＣＨ候補がスロットに適用されることができ、一方、ＷＴＲＵ固有の数のＰＤＣＣＨ候補はＣＯＲＥＳＥＴ当たりに構成され得る。従って、スロット内に位置するｎ個のＣＯＲＥＳＥＴのそれぞれは、ＷＴＲＵ固有の数のＰＤＣＣＨ候補を有することができる。グループ当たり、ある（最大）数のＰＤＣＣＨ候補の構成は、上述のように明示的になされ得る。代替として、構成は、別のＷＴＲＵ構成に依存する関数を通じて暗黙的になされ得る。関数は、構成されるＣＯＲＥＳＥＴの数、構成される探索空間の数、構成されるもしくは活動化されるＣＣの数、構成されるもしくは活動化されるＢＷＰの数、動作ＢＷ（場合によっては全てのＣＣおよび／またはＢＷＰにわたって集約された）、またはＳＣＳの少なくとも１つに依存し得る。例えば、ＣＣまたはＢＷＰ内のＰＤＣＣＨ候補の数は、ＳＣＳに依存し得る。他の例において、スロット内のＰＤＣＣＨ候補の数は、ＷＴＲＵがそのスロット内で監視することができる異なるＳＣＳの数に依存し得る。他の例において、ＰＤＣＣＨ候補の数を決定するための関数は、全てのＰＤＣＣＨ候補の集約セットがそれにマッピングするＣＣＥの数に依存し得る。
【００６７】
グループ当たりいくつかのＰＤＣＣＨ候補に対する１つまたは複数の値を用いて構成されたとき、値の全てが整合し得ない状況があり得る。例えば、ＷＴＲＵは、スロット当たりいくつかのＰＤＣＣＨ候補Ｘと、ＣＯＲＥＳＥＴ当たりいくつかのＰＤＣＣＨ候補Ｙとを用いて構成され得る。スロット内には、ｎ個のＣＯＲＥＳＥＴが存在することができ、ｎとＹの積はＸより大きくなる可能性がある（即ち、ｎＹ＞Ｘ）。このような場合、優先順序およびスケーリングが必要である。
【００６８】
ＷＴＲＵは、グループ化パラメータの優先度付けされたリストを受信することができる。このような場合、最も高い優先度を有する第１のグループに対するＰＤＣＣＨ候補の数は、より低い優先度を有する第２のグループに対するＰＤＣＣＨ候補の実際の数をスケーリングすることに繋がり得る。例えば、スロット当たりのＰＤＣＣＨ候補の数は最も高い優先度を有することができ、ＰＤＣＣＨ候補のいずれの他の数も、ＷＴＲＵが、構成されたものより多いスロット当たりのＰＤＣＣＨ候補を監視する必要がないことを確実にするために、スケーリングされる必要があり得る。上記で提示されたＣＯＲＥＳＥＴの例において、ＷＴＲＵは、スロット当たりＸ個までのＰＤＣＣＨ候補と、ＣＯＲＥＳＥＴ当たりＹ個までのＰＤＣＣＨ候補とを用いて構成され得る。ＷＴＲＵがスロット内にｎ個のＣＯＲＥＳＥＴを有し、ｎとＹの積がＸより大きい（即ち、ｎＹ＞Ｘ）状況が起きた場合、ＷＴＲＵはＣＯＲＥＳＥＴ当たりのＰＤＣＣＨ候補の数をスケーリングすることができる。
【００６９】
ＷＴＲＵがＰＤＣＣＨ候補の単一の値を用いて（即ち、単一のグループ化パラメータに対して）構成される実施形態において、ＷＴＲＵは他のグループ化パラメータのセットにわたってＰＤＣＣＨ候補を分散させることができる。例えば、ＷＴＲＵは、スロット当たりいくつかのＰＤＣＣＨ候補を有することができ、スロット内にあるＣＯＲＥＳＥＴにわたってどのように候補を分配させるかについての明示的な表示を受信することができる。
【００７０】
実施形態において、ＷＴＲＵは、グループ化パラメータのセットに基づいてＰＤＣＣＨ候補の分散を暗黙的に決定することができる。分散は、一様である必要はないことが留意されるべきである。ＰＤＣＣＨ候補の分散は、時間インスタンス、継続時間、時間単位内の監視されるＣＯＲＥＳＥＴの数、ＣＯＲＥＳＥＴシンボルの数、時間単位内のＣＯＲＥＳＥＴのタイプ、ＣＯＲＥＳＥＴのために用いられるＰＲＢの数、スロット内のＣＯＲＥＳＥＴの周期性、探索空間の数、探索空間タイプ、アグリゲーションレベル、アクティベートもしくは構成されたＣＣの数、アクティベートもしくは構成されたＢＷＰの数、複数の（例えば、アクティベートされた）ＣＣ／ＢＷＰのＢＷのＢＷＰ／ＣＣ／総和のＢＷサイズ、ＣＣ／ＢＷＰのＳＣＳ、ＤＣＩタイプ、トラフィックタイプ、および／またはＤＲＸ状態の少なくとも１つの関数とすることができる。ＰＤＣＣＨ候補の分散が、スロットインデックスに依存して、時間インスタンスの関数である場合は、ＷＴＲＵはＰＤＣＣＨ候補の数を決定することができる。ＰＤＣＣＨ候補の分散が、スロット持続時間に依存して、継続時間の関数である場合は、ＷＴＲＵは、ＰＤＣＣＨ候補の数を決定することができる。ＰＤＣＣＨ候補の分散が、時間単位内の監視されるＣＯＲＥＳＥＴの数の関数である場合は、ＣＯＲＥＳＥＴ当たりのＰＤＣＣＨ候補の数は、スロット内のＣＯＲＥＳＥＴの数に依存し得る。これはＣＣもしくはＢＷＰ当たり、または全てのＣＣもしくはＢＷＰにわたる合計におけるものとすることができる。ＰＤＣＣＨ候補の分散がＣＯＲＥＳＥＴシンボルの数の関数である場合は、ＣＯＲＥＳＥＴのシンボルの数が、そのＣＯＲＥＳＥＴ内のＰＤＣＣＨ候補の数を決定し得る。
【００７１】
ＰＤＣＣＨ候補の分散が、時間単位内のＣＯＲＥＳＥＴのタイプの関数であるとき、ＣＯＲＥＳＥＴ当たりのＰＤＣＣＨ候補の数は、ＣＯＲＥＳＥＴのパラメータ、およびスロット内の他のＣＯＲＥＳＥＴのパラメータに依存し得る。このような場合、パラメータは、基準信号に対して擬似コロケーション（quasi-co-location）（ＱＣＬ）とすることができる。従って、ＣＯＲＥＳＥＴを有するＲＳ  ＱＣＬ、およびスロット内の任意の他のＣＯＲＥＳＥＴに応じて、ＷＴＲＵはＰＤＣＣＨ候補の数を決定することができる。これは、ＷＴＲＵが監視している可能性がある、ビーム当たりの異なる数のＰＤＣＣＨ候補を割り振ることを可能にし得る。このような場合、ビーム上の送信は特定のＣＯＲＥＳＥＴに結び付けられることができ、スロット内でサポートされ得るビームの数に応じて、ＷＴＲＵは、ビーム当たり（即ち、ＣＯＲＥＳＥＴ当たり）の、場合によっては異なる、ＰＤＣＣＨ候補の数を決定することができる。
【００７２】
ＰＤＣＣＨ候補の分散が、ＣＯＲＥＳＥＴのために用いられるＰＲＢの数の関数であるとき、より多くのＰＲＢに広がるＣＯＲＥＳＥＴには、より多くのＰＤＣＣＨ候補が割り振られ得る。ＰＤＣＣＨ候補の分散がスロット内のＣＯＲＥＳＥＴの周期性の関数であるとき、非スロットスケジューリングのために用いられるＣＯＲＥＳＥＴが、スロット内の複数のインスタンスにおいて存在し得る。インスタンスの数は、ＰＤＣＣＨ候補の数（例えば、インスタンス当たりの）を決定し得る。ＰＤＣＣＨ候補の分散が探索空間の数の関数であるとき、ＣＯＲＥＳＥＴ内の探索空間の数は、そのＣＯＲＥＳＥＴ内のＰＤＣＣＨ候補の数を決定し得る。ＰＤＣＣＨ候補の分散が探索空間タイプの関数であるとき、共通探索空間は、グループ共通探索空間より、またはＷＴＲＵ固有探索空間より少ない候補を有し得る。ＰＤＣＣＨ候補の分散がアグリゲーションレベルの関数であるとき、探索空間は、アグリゲーションレベルのサブセットの候補のみを有することができ、サブセットはＰＤＣＣＨ候補の数を決定し得る。ＰＤＣＣＨ候補の分散がアクティブなまたは構成されたＣＣの数の関数である場合は、アクティブなＣＣの数に応じて、スロット内の各ＣＣは合計の利用可能なＰＤＣＣＨ候補のサブセットを有し得る。ＣＣ内のＰＤＣＣＨ候補の分散は、本明細書で述べられる規則に従い得る。
【００７３】
ＰＤＣＣＨ候補の分散がアクティブなまたは構成されたＢＷＰの数の関数であるとき、アクティブなＢＷＰの数に応じて、スロット内の各ＢＷＰは、合計の利用可能なＰＤＣＣＨ候補のサブセットを有し得る。ＢＷＰ内のＰＤＣＣＨ候補の分散は、本明細書で述べられる規則に従い得る。ＰＤＣＣＨ候補の分散が、ＢＷＰもしくはＣＣのＢＷサイズ、または複数の（例えば、アクティブな）ＣＣもしくはＢＷＰのＢＷの総和の関数であるとき、より大きなＣＣがより多くのＷＴＲＵに対して、および阻止確率を軽減するように働くことができ、より多くのＰＤＣＣＨ候補がＣＣに割り振られ得る。ＰＤＣＣＨ候補の分散がＣＣまたはＢＷＰのＳＣＳの関数であるとき、より大きなＳＣＳは、ＣＣまたはＢＷＰに割り当てられるより少ないＰＤＣＣＨ候補に繋がり得る。例において、異なるＳＣＳの複数のＣＣ／ＢＷＰを用いて構成されたＷＴＲＵは、基準ＳＣＳに基づいて、ＣＣ／ＢＷＰ当たりのＰＤＣＣＨ候補の総数を決定し得る。他の例において、異なるＳＣＳの複数のＣＣ／ＢＷＰを用いて構成されたＷＴＲＵは、ＰＤＣＣＨ候補が各ＣＣ／ＢＷＰのＳＣＳの関数、および／またはＷＴＲＵのために構成されたＳＣＳの合計のセットの関数であるやり方で分散されると想定することができる。
【００７４】
ＰＤＣＣＨ候補の分散がＤＣＩタイプの関数であるとき、いくつかのＤＣＩ送信は繰り返され得る（例えば、１つまたは複数の探索空間におけるスロット内、１つまたは複数のＣＯＲＥＳＥＴ内で繰り返される）。これはＰＤＣＣＨ受信信頼度の増加を可能にし得る。このような場合、このようなＤＣＩの検出は、複数のＰＤＣＣＨブラインド検出の組合せを必要とし得る。従って、そのＤＣＩタイプをサポートすることは、スロット内のＰＤＣＣＨ候補の数に対して影響を有し得る。ＰＤＣＣＨ候補の分散がトラフィックタイプの関数であるとき、ＰＤＣＣＨ候補はトラフィックタイプに関連付けられ得る。例において、スロット、またはＣＯＲＥＳＥＴもしくは探索空間がｅＭＢＢおよび／またはＵＲＬＬＣのために用いられ得るかに依存することは、それに関連付けられたＰＤＣＣＨ候補の数に影響し得る。ＰＤＣＣＨ候補の分散がＤＲＸ状態の関数であるとき、ＤＲＸ状態はグループの、またはグループ化パラメータ当たりの、ＰＤＣＣＨ候補の数に影響し得る。例えば、ＤＲＸ状態は、別のアグリゲーションレベルの固定数のＰＤＣＣＨ候補を確実にしながら、特定のアグリゲーションレベルのＰＤＣＣＨ候補の数の制限に結び付けられ得る。
【００７５】
ＰＤＣＣＨ候補の分散は、ＣＣＥマッピングの関数とすることができる。例えば、ＰＤＣＣＨ候補の総数は、全てのＰＤＣＣＨ候補のために用いられるＣＣＥの総集約数に依存し得る。このような場合、異なる候補、またはより少ないＣＣＥを用いる候補に対するＣＣＥの重なりは、合計のＰＤＣＣＨ候補のより大きな数を可能にすることができる。
【００７６】
グループ化パラメータのセットにわたるＰＤＣＣＨ候補の非一様な割り振りが存在するとき、優先度が割り当てられ得る。例えば、ＣＯＲＥＳＥＴはより高い優先度を有することができ（例えば、それがより高い優先度の送信に関連付けられている場合）、より低い優先度に関連付けられたＣＯＲＥＳＥＴより大きな量のＰＤＣＣＨ候補が割り振られ得る。他の例において、ＣＯＲＥＳＥＴ内の探索空間は、同じＣＯＲＥＳＥＴ内の別の探索空間より高い優先度を有することができ、より多くのＰＤＣＣＨ候補が割り振られ得る。
【００７７】
実施形態において、ＷＴＲＵにはグループ化パラメータに関連付けられたＰＤＣＣＨ候補のセットが割り当てられ得るが、ＷＴＲＵはＰＤＣＣＨ候補の数を縮小しなければならない場合がある（例えば、許容可能な期間内の複数のグループ化パラメータの衝突により）。例えば、ＷＴＲＵは、探索空間当たりいくつかのＰＤＣＣＨ候補、並びにスロット当たり最大数のＰＤＣＣＨ候補を用いて構成され得る。複数の探索空間がスロット内で衝突することが起きた場合、ＷＴＲＵは、探索空間の少なくとも１つにおいてＰＤＣＣＨ候補の数を縮小しなければならない場合がある。グループ内の各ＰＤＣＣＨ候補はインデックス有し得る。ＷＴＲＵがグループ内のｍ個のＰＤＣＣＨ候補に対してブラインド検出を試み得る場合には、最も高い（または最も低い）インデックスを有するｍ個の候補が用いられ得る。有効なＰＤＣＣＨ候補は、グループのサイズ、値ｍ、セル（またはＴＲＰ）ＩＤ、ＷＴＲＵ  ＩＤ、ＳＣＳ、ＢＷＰ  ＩＤ、ＣＣ  ＩＤ、および／またはグループ化パラメータの因子（例えば、探索空間グループ化パラメータに対して、因子はアグリゲーションレベルとすることができる）の少なくとも１つの関数として決定され得る。
【００７８】
ＷＴＲＵは、第１のグループ化パラメータのグループの全てに対応するように、ＰＤＣＣＨ候補の最大数を決定することができる。次いで第２のグループ化パラメータに基づいて、最大数のＰＤＣＣＨ候補によって、ＷＴＲＵはプルーニング関数を用いて、第１のグループ化パラメータに関連付けられたグループ内のＰＤＣＣＨ候補の数を低減することができる。例えば、ＷＴＲＵは、スロット内にｎ個のＣＯＲＥＳＥＴを有することができ、各ＣＯＲＥＳＥＴはＹ個のＰＤＣＣＨ候補を用いて構成され得るが、スロットは最大数ＸのＰＤＣＣＨ候補を有し得る。ｎとＹの積がＸより大きい場合（即ち、ｎＹ＞Ｘ）、ＷＴＲＵはプルーニング関数を用いて、各ＣＯＲＥＳＥＴに対する候補の数を低減することができる。
【００７９】
他の例において、ＷＴＲＵはスロット内のｎ個のＣＯＲＥＳＥＴを用いて構成され得る。ＣＯＲＥＳＥＴは、Ｙ個のＰＤＣＣＨ候補を用いて構成され得る。スロットは、ＰＤＣＣＨ候補がそれにマッピングされ得る最大数のＣＣＥを有し得る。ＰＤＣＣＨ候補は、このようなＣＣＥにマッピングされ得る（例えば、このような最大数のＣＣＥは、チャネル推定複雑さを低減するために用いられ得る）。ＷＴＲＵは、ｎＹ個のＰＤＣＣＨ候補のために用いられる全てのＣＣＥの総和が最大の構成された値を超える場合、少なくとも１つのＣＯＲＥＳＥＴに対する候補の数を低減するように、プルーニング関数を用いることができる。
【００８０】
他の例において、ＰＤＣＣＨ候補は、スロット当たりのＰＤＣＣＨ候補の最大数と、スロット当たりのＰＤＣＣＨ候補によって用いられるＣＣＥの最大数との、両方を達成するようにプルーニングされ得る。このようなプルーニングアルゴリズムは、スロット内にある探索空間の全てを考慮し、１つまたは複数のこのような探索空間からのＰＤＣＣＨ候補をプルーニングすることができる。プルーニングアルゴリズムは、残りの候補の数が最大値未満であるとき、停止され得る。例えば、プルーニングアルゴリズムは、未だプルーニングされていない全てのＰＤＣＣＨ候補の総和が一定の値に等しいとき、停止され得る。代替として、プルーニングアルゴリズムは、残りのＰＤＣＣＨ候補に対する必要なＣＣＥ推定の総数が最大値未満であるとき、停止され得る。停止基準は、プルーニング関数の詳細に影響を与えずに、必要に応じて修正され得ることに留意されたい。この例において、グループ当たり（この場合は、探索空間当たりまたはＣＯＲＥＳＥＴ当たり）、いくつかのＰＤＣＣＨ候補を取り除くために、ランダム循環方法が用いられる。このようなランダム循環方法は、同じ候補があらゆるスロット内で常にプルーニングされないことを確実にすることによって、ＰＤＣＣＨ阻止確率を低減するのに役立つことができる。
【００８１】
スロット内の複数のＰＤＣＣＨ監視機会を用いて構成されたＷＴＲＵは、探索空間当たりのＰＤＣＣＨ候補のサブセット
【００８２】
【数１】
2021503221.tif 000003
【００８３】
を、
【００８４】
【数２】
2021503221.tif 000004
【００８５】
となるように決定することができ、ここで
【００８６】
【数３】
2021503221.tif 000005
【００８７】
はＰＤＣＣＨ候補識別子であり、
【００８８】
【数４】
2021503221.tif 000006
【００８９】
はＣＯＲＥＳＥＴ  ＰおよびアグリゲーションレベルＬに対して監視するようにＷＴＲＵが構成されるＰＤＣＣＨ候補の最大数であり、Ｘはブラインド復号の試みの最大数である。ＷＴＲＵは、スロット内の全てのＰＤＣＣＨ候補に対するＣＣＥの総数がＹ以下になるように、探索空間当たりのＰＤＣＣＨ候補の数をさらにプルーニングすることができる。Ｙの値はＣＯＲＥＳＥＴプリコーダ細分性に依存し得る。例えば、Ｙの値は、同じプリコーダがＺであると想定され得る最大数のＣＣＥと、ＣＯＲＥＳＥＴプリコーダ細分性（場合によっては、ＣＯＲＥＳＥＴプリコーダ細分性がＲＥＧを単位とする場合、ＣＣＥ当たりいくつかのＲＥＧで除算される）との間の積に対応する、またはそれに比例することができる。この手法は、ＷＴＲＵによって着手されることになるチャネル推定努力が適正な限度内にとどまることを確実にする。全てのＰＤＣＣＨ候補のために用いられるＣＣＥの総和は、必要なチャネル推定の数を決定するために定量化され得る。このような数は、ＰＤＣＣＨ候補のために用いられるＣＣＥと、ＣＯＲＥＳＥＴプリコーダ細分性との関数として、ＷＴＲＵによって決定され得る。
【００９０】
ＷＴＲＵは、全ての監視されるＰおよびＬに対して最初に
【００９１】
【数５】
2021503221.tif 000007
【００９２】
を設定することによって、スロット内のＰＤＣＣＨ候補をプルーニングすることができ、次いで監視されるＰおよびＬを循環し、各反復において１だけ
【００９３】
【数６】
2021503221.tif 000008
【００９４】
の値を低減させる。循環の順序は以下に基づいて決定される：
【００９５】
【数７】
2021503221.tif 000009
【００９６】
ここで
【００９７】
【数８】
2021503221.tif 000010
【００９８】
は、全ての監視される制御リソースセットのセットである（即ち、ＱはＰのサブセットである）。
【００９９】
各サイクル内の各プルーニングステップの終わりに、ＷＴＲＵは、ＸおよびＹ基準の両方が達成されたかどうかを決定することができる。そうであれば、プルーニングは終了されることができ、監視されるＰＤＣＣＨ候補のセットが決定され得る。
【０１００】
図４を参照すると、本明細書で述べられるプルーニングアルゴリズムの方法４００が示される。方法４００はステップ４１０で開始し、ここでＷＴＲＵの探索空間の順序はランダム化され、各探索空間にインデックスが割り当てられる。ステップ４２０での第１のインデックス付けされた探索空間に対して、ステップ４３０でＰＤＣＣＨ候補の総数が閾値より大きいかどうかの決定がなされる。代替として、ステップ４３０は、ＣＣＥ推定の総数が閾値より大きいかどうかを決定することを含むことができる。ステップ４３０の閾値が超えられなかった場合、いずれの場合も、プルーニングプロセスはステップ４４０で停止される。ステップ４３０で閾値が超えられた（言い換えれば、ＰＤＣＣＨ候補の総数が閾値より大きい、またはＣＣＥ推定の総数が閾値より大きい）場合、ステップ４５０で、インデックス付けされた探索空間に対するＰＤＣＣＨ候補のセットから、ＰＤＣＣＨ候補が取り除かれる。ステップ４６０で、プロセスは次のインデックス付けされた探索空間に進み、ステップ４３０が繰り返される。
【０１０１】
プルーニング関数をさらにランダム化するために、
【０１０２】
【数９】
2021503221.tif 000011
【０１０３】
は最初に、場合によってはＷＴＲＵ  ＩＤ、ＲＮＴＩ、スロット番号、セルＩＤ、キャリアＩＤ、ＳＣＳまたはＢＷＰ  ＩＤの少なくとも１つの関数として、ランダム化され得る。
【０１０４】
他の例において、全てのＰＤＣＣＨ候補がそれにマッピングし得るＣＣＥの最大数に関する基準は、より高い優先度を有することができる。このような場合、集約レベルＬにわたるプルーニングの順序は、最初により大きなＣＣＥフットプリントを有する候補を低減するように決定され得る（例えば、ＷＴＲＵは、最初により高いアグリゲーションレベルを有する候補をプルーニングすることができる）。
【０１０５】
図２は、スロット当たりの可変数の制御リソースセット（ＣＯＲＥＳＥＴ）または探索空間の中での、例示の物理ダウンリンク制御チャネル（ＰＤＣＣＨ）候補割り振りを示す。この例において、ＷＴＲＵは、スロット当たり最大数のＰＤＣＣＨ候補を用いて構成され得る。ＷＴＲＵは、異なる監視機会をそれぞれが有する（場合によっては、スロットおよび非スロットスケジューリングを可能にするように）、複数のＣＯＲＥＳＥＴまたは探索空間を用いて構成され得る。スロット当たりのＣＯＲＥＳＥＴまたは探索空間の数は変わり得る。スロット内にｎ個のＣＯＲＥＳＥＴまたは探索空間がある場合に対しては、ＷＴＲＵは、各ＣＯＲＥＳＥＴまたは探索空間が、ｆｌｏｏｒ（Ｘ／ｎ）個のＰＤＣＣＨ候補を有すると想定することができる（スロット当たりＸ個のＰＤＣＣＨ候補を想定して）。代替としてまたは追加として、ＣＯＲＥＳＥＴまたは探索空間当たりのＰＤＣＣＨ候補の数は、一様でなくてよく、ＣＯＲＥＳＥＴまたは探索空間タイプに依存し得る（例えば、ＣＯＲＥＳＥＴに関連付けられたビームに基づいて）。
【０１０６】
図２に示されるように、ＷＴＲＵは、スロット当たりの可変数のＣＯＲＥＳＥＴまたは探索空間を監視することができる（即ち、各ＣＯＲＥＳＥＴまたは探索空間の監視周期性は異なる場合）。この例において、ＷＴＲＵは、スロット当たり固定数のＰＤＣＣＨ候補を有することができる。このような場合、スロット当たり固定数のＰＤＣＣＨ候補は、スロット内のＣＯＲＥＳＥＴまたは探索空間の数（および場合によってはＣＯＲＥＳＥＴまたは探索空間のタイプ）に応じて、割り振られ得る。図２に示される例では、上述の方法の１つとして構成された、スロット当たり最大で４４個のＰＤＣＣＨ候補がある。スロットｎにおいて、４４個のＰＤＣＣＨ候補は、共通探索空間（ＣＳＳ）がＵＥ固有探索空間（ＵＥＳＳ１）より大きな優先度を有し、ＵＥＳＳ１がＵＥＳＳ２より大きな優先度を有するように割り振られ得る。従って、例において、スロットｎ（およびｎ＋６）では、ＷＴＲＵは、全ての監視される探索空間に対応するためのＰＤＣＣＨ候補の総数は最大値を超えると決定する。従って、ＷＴＲＵは、ＵＥＳＳ２からいくつかの（例えば、全ての）ＰＤＣＣＨ候補を削除する。
【０１０７】
スロットｎ＋１内およびスロットｎ＋２内など、他のスロットにおいて、監視される探索空間に対応するように、ＰＤＣＣＨ候補の総数は最大値を超えず、従ってＷＴＲＵは全ての割り当てられたＰＤＣＣＨ候補を監視する。ＣＯＲＥＳＥＴまたは探索空間当たりのＰＤＣＣＨ候補の正確な数は、優先度レベル、共有するＰＤＣＣＨ候補の総数、ＣＯＲＥＳＥＴまたは探索空間タイプの数、ＣＯＲＥＳＥＴまたは探索空間当たり（またはＣＯＲＥＳＥＴもしくは探索空間タイプ当たり）のＰＤＣＣＨ候補の最大数、または上述のような同様のものの関数として決定され得る。ＣＯＲＥＳＥＴまたは探索空間内のＰＤＣＣＨ候補の選択は、スロット番号、ＷＴＲＵ  ＩＤ、ＣＯＲＥＳＥＴまたは探索空間タイプ、または本明細書で述べられる任意の他のパラメータに依存し得る。
【０１０８】
実施形態において、ＷＴＲＵは、スロット当たりキャリア当たり最大数のＰＤＣＣＨ候補（例えば、Ｘ）を用いて構成され得る。さらに、ＷＴＲＵは、ＣＯＲＥＳＥＴ当たりいくつかのＰＤＣＣＨ候補（例えば、Ｙ）を用いて構成され得る。ｎ個のＣＯＲＥＳＥＴを有するスロットに対しては、ＣＯＲＥＳＥＴ当たりのＰＤＣＣＨ候補の数は、ｎとＹの積がＸ以下（即ち、ｎＹ≦Ｘ）である限りＹであり、そうでない場合はそれはｆｌｏｏｒ（Ｘ／ｎ）である。
【０１０９】
他の実施形態において、ＷＴＲＵは、スロット当たりの構成されたまたは固定数のＰＤＣＣＨ候補を有することができ、およびスロット内の複数のアクティブなＢＷＰを用いて構成され得る。ＰＤＣＣＨ候補分散は、ＢＷＰの総数、ＢＷＰインデックス、ＢＷＰサイズ、およびＢＷＰのＳＣＳの関数とすることができる。例えば、Ｘ個の合計のＰＤＣＣＨ候補は、より大きなＢＷＰがより小さなＢＷＰと比べてより多くのＰＤＣＣＨ候補を有するように、不均一に分割され得る。代替として、スロット当たりのＰＤＣＣＨ候補の構成される数は、基準ＳＣＳスロットサイズ当たりとすることができる。従って、より大きなＳＣＳを有するＢＷＰは、より小さなＳＣＳを有する他のＢＷＰと比べて、それのスロット持続時間当たり、より少ないＰＤＣＣＨ候補を有し得る。
【０１１０】
他の実施形態において、ＷＴＲＵは、スロット当たりの構成されたまたは固定数のＰＤＣＣＨ候補を有することができ、およびスロット内の複数のＣＯＲＥＳＥＴを用いて構成され得る。ＰＤＣＣＨ候補は、場合によっては一様なやり方で、スロット内にあるＣＯＲＥＳＥＴに割り振られ得る。ＷＴＲＵはまた、サブスロットレベル上で動作するＤＲＸパターンを有することができる。例えば、ＤＲＸ状態において、ＷＴＲＵはスロット内の全てのＣＯＲＥＳＥＴのサブセットのみを監視し得る。このような場合、ＣＯＲＥＳＥＴ当たりのＰＤＣＣＨ候補の数は、ＤＲＸ状態に依存し得る。
【０１１１】
図３は、異なる不連続受信（ＤＲＸ）状態に対する例示のＰＤＣＣＨ候補割り振りを示す。図３に示されるように、ＷＴＲＵは、スロット当たり固定数のＰＤＣＣＨ候補を用いて動作することができる。図３に示される例において、スロット当たり４４個のＰＤＣＣＨ候補がある。ＷＴＲＵは、各スロット内で異なるＤＲＸ状態のもとで動作することができ、各ＤＲＸ状態は、ＷＴＲＵが所与のスロット内で監視する、ＣＯＲＥＳＥＴ（または探索空間）の数を低減し得る。図３に示される例示の場合において、ＤＲＸ状態１でのスロットに対して、ＷＴＲＵは、スロット当たり監視する４つのＣＯＲＥＳＥＴを有し、従ってＣＯＲＥＳＥＴ当たり１１個のＰＤＣＣＨ候補を想定することができる。４つのＣＯＲＥＳＥＴがあるので、ＷＴＲＵはスロット当たり１１個のＰＤＣＣＨ候補を監視し、従って４４個のＰＤＣＣＨ候補を、４つのＣＯＲＥＳＥＴの間で等しく割り振る。ＤＲＸ状態２でのスロットに対して、ＷＴＲＵは、スロット当たり監視する２つのＣＯＲＥＳＥＴを有し、従ってＣＯＲＥＳＥＴ当たり２２個のＰＤＣＣＨ候補を監視するように決定することができる。ＤＲＸ状態３でのスロットに対しては、いくつかのスロットは単一のＣＯＲＥＳＥＴを有し、ＷＴＲＵはその場合、そのＣＯＲＥＳＥＴ内の４４個全てのＰＤＣＣＨ候補を監視するように決定することができる。他のスロットは、このＤＲＸ状態ではゼロ個のＣＯＲＥＳＥＴを有する。しかし、スロット当たり最大で４４個のＰＤＣＣＨ候補があることを考えれば、候補は、ＣＯＲＥＳＥＴを有しないスロットから、ＣＯＲＥＳＥＴを有するスロットには再割り振りされ得ない。しかし、複数のＢＷＰまたはＣＣの場合は、他のＢＷＰまたはＣＣが、これらのスロット内の未使用のＰＤＣＣＨ候補をうまく利用し得ることが可能である。
【０１１２】
ＷＴＲＵは、前に受信されたＤＣＩの関数として、ＰＤＣＣＨ候補の数を決定することができる。ＷＴＲＵは、来たるべきリソースのセットのためのＰＤＣＣＨ候補の数に影響し得る、第１のＤＣＩを検出および復号することができる。例えば、ＷＴＲＵは、スロット内のデータ送信のために第１のＤＣＩを検出および復号することができ、次いでＷＴＲＵは、それがスロットの持続時間の間に盲目的に検出し得る、ＰＤＣＣＨ候補の数を調整することができる。
【０１１３】
実施形態において、ＷＴＲＵは、スロットおよび非スロットスケジューリングの両方のために構成され得る。ＷＴＲＵは、スロット（場合によっては、ＤＣＩがその中で送信されたものと同じスロット）内の送信のために、第１のＰＤＣＣＨ候補位置においてＤＣＩを検出することができる。スケジュールされたデータ送信は、他のＰＤＣＣＨ候補の送信と重なり合う（例えば、時間的に重なり合う）場合がある。このような場合、ＷＴＲＵはブラインド検出するためのＰＤＣＣＨ候補の数を低減することができ、それによって前にスケジュールされた送信と重なり合うＰＤＣＣＨ候補を除去する。これは同時のデータ受信および他のＰＤＣＣＨ候補のブラインド検出に関わる複雑さを低減することができる。これの例は、ＷＴＲＵが、スロット内のおよび異なる時間インスタンスでの、複数のＣＯＲＥＳＥＴを用いて構成される場合である。ＷＴＲＵは、第２のＣＯＲＥＳＥＴと時間的に重なり合う送信のために、第１のＣＯＲＥＳＥＴ内のＤＣＩを検出および復号することができる。ＷＴＲＵは、第２のＣＯＲＥＳＥＴの低減された数のＰＤＣＣＨ候補に対して、ブラインド検出を試みることができる（例えば、ＣＯＲＥＳＥＴが、データ送信と直交する周波数リソース内にある場合）。
【０１１４】
実施形態において、ＷＴＲＵは、スロットのシンボルのサブセットにおける送信のためにスケジュールされ得る（場合によっては同じスロット内で送信された、または前のスロット内で送信されたＤＣＩから）。スケジュールされた送信を有するスロット内の、任意の他のＰＤＣＣＨ候補グループ化パラメータに対して、ＷＴＲＵはＰＤＣＣＨ候補の数を低減することができる。例えば、ＷＴＲＵはスロット内のシンボルの第１のセット上での送信のためにスケジュールされ、ＷＴＲＵはまたスロット内のより多くのＣＯＲＥＳＥＴを用いて構成される。このような場合、ＷＴＲＵは、スロットの残りＣＯＲＥＳＥＴ内のＰＤＣＣＨ候補の数を低減することができる。これは同時のデータ処理および他のＰＤＣＣＨ候補のブラインド検出に関わる複雑さを低減することができる。
【０１１５】
これらの例において、各ＣＯＲＥＳＥＴがＹ個までのＰＤＣＣＨ候補を有する場合、第２のＣＯＲＥＳＥＴの受信と同時の、またはそれと同じスロット内での、データ送信を用いて、第１のＣＯＲＥＳＥＴ内にスケジュールされるとすぐに、ＷＴＲＵは、第２のＣＯＲＥＳＥＴ内のＺ個のＰＤＣＣＨ候補に対してブラインド検出を試みることができ、ここでＺ＜Ｙである。この例は、第１のＤＣＩが複数のスロットにわたって（例えば、スロットアグリゲーションを用いて）、ＷＴＲＵをスケジュールする場合に拡張され得る。このような場合、ＷＴＲＵは、スケジューリング割り当てがそれに対して有効であるスロットのセット内のＰＤＣＣＨ候補の数を変更することができる。
【０１１６】
実施形態において、ＷＴＲＵは、スロットベースのスケジューリング割り当てを示す、第１のＰＤＣＣＨ候補内のＤＣＩを検出および復号することができる。ＷＴＲＵは、そのＣＣおよび／またはＢＷＰ上のスケジュールされた割り当てのスロット内で生じる、非スロットベースの送信のための他のＤＣＩを予期し得ない。従って、ＷＴＲＵは、スロットベースのスケジューリング割り当てが存在しない任意のＣＣおよび／またはＢＷＰ上で、非スロットベースのスケジューリングのためのＰＤＣＣＨ候補の数を増加させることができる。
【０１１７】
ＤＣＩが送信をスケジュールするのと、送信自体との間の時間はまた、そのＣＣおよび／もしくはＢＷＰ、または他のＣＣおよび／もしくはＢＷＰに対して、ＷＴＲＵがブラインド検出を試み得る他のＰＤＣＣＨ候補の数を決定することができる。
【０１１８】
図５を参照すると、本明細書で述べられるいくつかの態様による方法フロー図５００が示される。ステップ５１０で始まり、ＷＴＲＵは、スロット内で監視されることになる探索空間の全てを考慮する。ＷＴＲＵは探索空間タイプによって探索空間を順位付けする、ステップ５２０。ＷＴＲＵは構成された優先順位によって探索空間タイプ内の探索空間を順位付けする、ステップ５３０。ＷＴＲＵは、最も高い優先度の探索空間を選択する、ステップ５４０。選択された探索空間に対して、ＰＤＣＣＨ候補の総数が閾値より大きいかどうかの決定がなされる、ステップ５５０。代替として、ステップ５５０は、ＣＣＥ推定の総数が閾値より大きいかどうかを決定することを含むことができる。ステップ５５０の閾値が超えられた場合、いずれの場合も、探索空間から少なくとも１つのＰＤＣＣＨ候補が削除される、ステップ５６０。１つのシナリオにおいて、全ての潜在的なＰＤＣＣＨ候補が探索空間から削除され得る。ステップ５５０の閾値が超えられなかった場合、全ての残りのＰＤＣＣＨ候補が探索空間内に保持される、ステップ５７０。次に最も高い優先度の探索空間が選択され、ステップ５８０、プロセスはステップ５５０で、考慮している現在の探索空間に対するＰＤＣＣＨ候補と、前に考慮された（即ち、より高い優先度の）探索空間に対する全ての前に保持されたＰＤＣＣＨ候補との、総和を用いて繰り返す。
【０１１９】
特徴および要素は上記では特定の組合せにおいて述べられたが、当業者は各特徴または要素は単独で、または他の特徴および要素との任意の組合せにおいて用いられ得ることを理解するであろう。本明細書で述べられる方法は、コンピュータまたはプロセッサによる実行のためにコンピュータ可読媒体に組み込まれたコンピュータプログラム、ソフトウェア、またはファームウェアにおいて実施され得る。コンピュータ可読媒体の例は、電子信号（有線または無線接続を通して送信される）、およびコンピュータ可読記憶媒体を含む。コンピュータ可読記憶媒体の例は、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびデジタル多用途ディスク（ＤＶＤ）などの光媒体を含むが、それらに限定されない。ソフトウェアと関連してプロセッサは、ＷＴＲＵ、ＵＥ、端末装置、基地局、ＲＮＣ、または任意のホストコンピュータにおける使用のために、無線周波数トランシーバを実施するために用いられ得る。
【図１Ａ】
2021503221.tif 000012
【図１Ｂ】
2021503221.tif 000013
【図１Ｃ】
2021503221.tif 000014
【図１Ｄ】
2021503221.tif 000015
【図２】
2021503221.tif 000016
【図３】
2021503221.tif 000017
【図４】
2021503221.tif 000018
【図５】
2021503221.tif 000019
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）で用いる方法であって、
スロットに対して、前記スロット内の前記ＷＴＲＵに関連付けられたいくつかの指定された探索空間、前記探索空間のタイプ、前記探索空間に関連付けられた優先度、前記探索空間に関連付けられたいくつかの必要な制御チャネル要素（ＣＣＥ）チャネル推定、スロット内の最大数のＰＤＣＣＨ候補、および前記スロットに関連付けられたいくつかの制御リソースセット（ＣＯＲＥＳＥＴ）のうちのそれぞれの少なくとも１つに基づいて、少なくとも１つの探索空間に関連付けられたいくつかの有効な物理ダウンリンク制御チャネル（ＰＤＣＣＨ）候補を決定することと、
前記ＷＴＲＵに関連付けられたＰＤＣＣＨを回復するために、少なくとも１つの探索空間内のＣＣＥを復号することを試みることと
を備える方法。
【請求項２】
前記決定された有効なＰＤＣＣＨ候補の数が最大値を超えるという条件で、少なくとも１つの探索空間に関連付けられた少なくとも１つの決定されたＰＤＣＣＨ候補を削除することをさらに備える、請求項１の方法。
【請求項３】
ＣＣＥチャネル推定の数が最大値を超えるという条件で、少なくとも１つの探索空間に関連付けられた少なくとも１つの決定されたＰＤＣＣＨ候補を削除することをさらに備える、請求項１の方法。
【請求項４】
前記少なくとも１つの決定されたＰＤＣＣＨ候補を削除することは、少なくとも１つの規則に基づく、請求項２の方法。
【請求項５】
前記少なくとも１つの決定されたＰＤＣＣＨ候補を削除することは、前記探索空間に関連付けられた優先度の関数である、請求項２の方法。
【請求項６】
前記少なくとも１つの決定されたＰＤＣＣＨ候補を削除することは、前記探索空間のタイプの関数である、請求項２の方法。
【請求項７】
前記少なくとも１つの決定されたＰＤＣＣＨ候補を削除することは、前記スロット内の前記ＷＴＲＵによって監視された探索空間の総数の関数である、請求項２の方法。
【請求項８】
スロット内のＰＤＣＣＨ候補の数の最大の構成された値の表示を含むメッセージを基地局から受信することをさらに備える、請求項２の方法。
【請求項９】
無線送受信ユニット（ＷＴＲＵ）であって、
スロットに対して、前記スロット内の前記ＷＴＲＵに関連付けられたいくつかの指定された探索空間、前記探索空間のタイプ、前記探索空間に関連付けられた優先度、前記探索空間に関連付けられたいくつかの必要な制御チャネル要素（ＣＣＥ）チャネル推定、スロット内の最大数のＰＤＣＣＨ候補、および前記スロットに関連付けられたいくつかの制御リソースセット（ＣＯＲＥＳＥＴ）のうちのそれぞれの少なくとも１つに基づいて、少なくとも１つの探索空間に関連付けられたいくつかの有効な物理ダウンリンク制御チャネル（ＰＤＣＣＨ）候補を決定するように構成されたプロセッサと、
前記スロット内の無線信号を受信するように構成された受信機と
を備え、
前記プロセッサは、前記ＷＴＲＵに関連付けられたＰＤＣＣＨを回復するために、少なくとも１つの探索空間内の前記信号において受信されたＣＣＥを復号するように構成される、ＷＴＲＵ。
【請求項１０】
前記プロセッサは、前記決定された有効なＰＤＣＣＨ候補の数が最大値を超えるという条件で、少なくとも１つの探索空間に関連付けられた少なくとも１つの決定されたＰＤＣＣＨ候補を削除するようにさらに構成される、請求項９のＷＴＲＵ。
【請求項１１】
前記プロセッサは、ＣＣＥチャネル推定の数が最大値を超えるという条件で、少なくとも１つの探索空間に関連付けられた少なくとも１つの決定されたＰＤＣＣＨ候補を削除するようにさらに構成される、請求項９のＷＴＲＵ。
【請求項１２】
前記プロセッサは、少なくとも１つの規則に基づいて、少なくとも１つの決定されたＰＤＣＣＨ候補を削除するように構成される、請求項１０のＷＴＲＵ。
【請求項１３】
前記プロセッサは、前記探索空間に関連付けられた優先度の関数として、少なくとも１つの決定されたＰＤＣＣＨ候補を削除するように構成される、請求項１０のＷＴＲＵ。
【請求項１４】
前記プロセッサは、前記探索空間のタイプの関数として、少なくとも１つの決定されたＰＤＣＣＨ候補を削除するように構成される、請求項１０のＷＴＲＵ。
【請求項１５】
前記プロセッサは、前記スロット内の前記ＷＴＲＵによって監視された探索空間の総数の関数として、少なくとも１つの決定されたＰＤＣＣＨ候補を削除するように構成される、請求項１０のＷＴＲＵ。
【国際調査報告】
2021503221.tif 000020
2021503221.tif 000021